(57)【特許請求の範囲】
【請求項１】
制御基板に設けられたプロセッサと動作部との間で制御信号が伝送される制御信号中継線と、前記制御基板に設けられた給電端子又はグランドと前記動作部とを接続し前記動作部に定電位を与える電力中継線と、前記制御基板に設けられ前記電力中継線に接続されている一又は複数の電力ポートと、前記制御信号の出力または入力用に前記制御基板に設けられた複数の制御信号ポートと、を備えた遊技機であって、
前記電力ポートに対応して接続された一又は複数の電力中継端子と、前記電力中継端子に接続されており前記電力中継線の一部である電力線部と、前記制御信号ポートに対応して接続された複数の信号中継端子と、前記信号中継端子に接続されており前記制御信号中継線の一部である制御信号中継線部と、を有し、前記制御基板と前記動作部との間に設けられた中継端子板を備え、
前記中継端子板は、前記制御信号ポートである第１ポートに接続された前記信号中継端子であって、且つ前記制御信号中継線に非接続である第１端子に対して前記電力線部から分岐して接続された第１分岐部を有することを特徴とした遊技機。
【請求項２】
前記プロセッサは、前記第１ポートに印加される電圧電位に基づいて前記第１ポートに係る接続異常を検出する接続異常検出手段を実現する請求項１に記載の遊技機。
【請求項３】
前記制御基板は、予め決められた方向に並べられた前記複数の制御信号ポートを含む基板ポート群を備え、前記制御信号ポートである第２ポート及び前記第１ポートは前記基板ポート群における両端に位置し、
前記中継端子板は、前記第２ポートに接続された前記信号中継端子であって、且つ前記制御信号中継線に非接続である第２端子に対して前記電力線部から分岐して接続された第２分岐部を有し、
前記接続異常検出手段は、前記第１ポート及び前記第２ポートに印加される電圧電位に基づいて前記第１分岐部及び前記第２分岐部に係る接続異常を検知する請求項２に記載の遊技機。
【発明の詳細な説明】
【技術分野】
【０００１】
本発明は、遊技機に関する。
【背景技術】
【０００２】
いわゆるパチンコ機またはスロットマシンに代表される遊技機には、遊技の制御に用いる、例えば、カウントスイッチや、大入賞口の開閉部材の駆動を行うソレノイドなどの動作部と、この動作部に対する電力供給や制御信号の送受信を行う主制御基板と、主制御基板と動作部との間で制御信号などの電気信号の中継伝送を行う中継端子板が具備されている。この他、遊技機は、一般に各種の演出の実行を制御する演出基板（副制御基板）を有している。
【０００３】
主制御基板と中継端子板とは、通常、コネクタ付き信号ケーブル（以下「信号ケーブル」という）を介して接続されており、遊技機の動作部が正常に動作するためには、制御信号などの電気信号の出入力伝送が確実に行われる必要がある。
【０００４】
しかしながら、主制御基板と中継端子板の間では多くの信号ケーブルで接続されており各種の接続異常が生じ得るという課題がある。接続異常としては、コネクタの初期の接続不良や搬送時または設置後のコネクタの抜け、信号ケーブルの断線などが挙げられる。
このため、遊技機においては、信号ケーブルの接続異常を確実に検知することが求められている。
【０００５】
これに対する関連技術として、演出基板に入力されるデータ信号の入力レベルを監視して、その入力レベルが所定レベルと異なる状態が一定時間継続した場合に、接続の不具合が発生したと判断する遊技機が開示されている（特許文献１）。
【先行技術文献】
【特許文献】
【０００６】
【特許文献１】特開２００８−１８０９３号公報
【発明の概要】
【発明が解決しようとする課題】
【０００７】
パチンコ機や回胴式遊技機（スロットマシン）などの遊技機では、機種変更等に伴い、制御基板に対応する被制御機器や出力手段の数や構造の変更が行われる。
このため、例えば、旧機種から新機種へと機種変更が行われる場合に、この機種変更に伴い旧機種における制御基板に接続された異なる複数の動作部のうちの一つまたは複数の動作部が新機種においては取り外される、といったことが生じ得る。
このような場合、新機種においては、使用されなくなる動作部や、この動作部が接続していた制御信号中継線、そして、この制御信号中継線が接続していた制御信号ポートなどが不要となる。
ここで、旧機種で利用されていた制御基板を新機種においても利用しようとする場合、旧機種で制御信号中継線が接続されていた制御基板の制御信号ポートは未使用状態となる。すなわち、新機種において、未使用状態の制御信号ポートを「空きポート」という。
【０００８】
本発明は、新機種となる遊技機で旧機種で利用されていた制御基板を利用する場合でも、制御基板における空きポート（空き端子）の発生を抑止することが可能である遊技機を提供するものである。
【課題を解決するための手段】
【０００９】
本発明によれば、制御基板に設けられたプロセッサと動作部との間で制御信号が伝送される制御信号中継線と、前記制御基板に設けられた給電端子又はグランドと前記動作部とを接続し前記動作部に定電位を与える電力中継線と、前記制御基板に設けられ前記電力中継線に接続されている一又は複数の電力ポートと、前記制御信号の出力または入力用に前記制御基板に設けられた複数の制御信号ポートと、を備えた遊技機であって、前記電力ポートに対応して接続された一又は複数の電力中継端子と、前記電力中継端子に接続されており前記電力中継線の一部である電力線部と、前記制御信号ポートに対応して接続された複数の信号中継端子と、前記信号中継端子に接続されており前記制御信号中継線の一部である制御信号中継線部と、を有し、前記制御基板と前記動作部との間に設けられた中継端子板を備え、前記中継端子板は、前記制御信号ポートである第１ポートに接続された前記信号中継端子であって、且つ前記制御信号中継線に非接続である第１端子に対して前記電力線部から分岐して接続された第１分岐部を有することを特徴とした遊技機が提供される。
【発明の効果】
【００１０】
本発明によれば、新機種となる遊技機で旧機種で利用されていた制御基板を利用する場合でも、制御基板における空きポート（空き端子）の発生を抑止することが可能である遊技機が提供される。
【図面の簡単な説明】
【００１１】
【図１】遊技機の主要な内部構成を示す概略説明図である。
【図２】遊技機の主要な内部構成を示す概略説明図である。
【図３】遊技機の主要な内部構成を示す概略説明図である。
【図４】遊技機の主要な内部構成を示す概略説明図である。
【図５】遊技機の主要な内部構成を示す概略説明図である。
【図６】遊技機の主要な内部構成を示す概略説明図である。
【図７】実施形態２としての遊技機の内部回路構成を示す概略説明図である。
【図８】実施形態３としての遊技機の内部回路構成を示す概略説明図である。
【図９】実施形態２に対する従来機の内部構成を示す概略説明図である。
【図１０】実施形態３に対する従来機の内部構成を示す概略説明図である。
【図１１】遊技機の内部構成における接続異常の一例を示す説明図である。
【図１２】遊技機の正面図である。
【図１３】遊技機内に配設される遊技盤を示す図である。
【図１４】遊技機の主要な制御構成を示す機能ブロック図である。
【発明を実施するための形態】
【００１２】
以下、本発明の実施形態１について、図面を用いて説明する。なお、すべての図面において、同様の構成要素には同一の符号を付し、適宜に説明を省略する。
実施形態１の遊技機１０は、いわゆるパチンコ遊技機であり、多数の遊技釘（図示せず）が立設された遊技盤５０の前面領域（以下、遊技領域５０ａと称す）に遊技球を発射し、遊技球が特定の入賞口（例えば、大入賞口等）に入球すると賞球が得られる遊技を行うものである（図１３）。
なお、下記実施形態では、本発明を遊技媒体としてパチンコ球を使用し、遊技の状況に応じて各種の遊技の演出を行うパチンコ遊技機に適用した場合について説明するが、例えば、遊技媒体としてメダルを使用した回胴式遊技機（いわゆる、スロットマシン）に適用してもよい。
【００１３】
［遊技機１０の概要について］
図１は、実施形態１である遊技機１０の主要な内部構成を示す概略説明図である。
遊技機１０は、図１に示すように、動作部４００との間で制御信号が伝送される制御信号中継線に接続された制御基板１００と、定電位に接続された電力線２５１と、制御信号の出力または入力用に制御基板１００に設けられた１または複数の制御信号ポート１０４、１０６、１０８とを備え、制御信号ポートである第１ポートに対して電力線２５１または制御信号中継線２５３、２５５から分岐して接続された第１分岐線を有し、第１ポートにおける印加電位または、第１ポートを介して入力または出力される制御信号に基づき、１ポートまたは第１分岐線における接続異常を検出する接続異常検出部１０５を備えている。
【００１４】
ここで、制御信号とは、遊技機１０の動作部４００から制御基板１００に送られる検知信号や、制御基板１００から動作部４００に送られる動作命令などの各種信号を含む。
より具体的には、動作部４００から制御基板１００に送られる、遊技機１０における遊技球の動作を検出したこと示す検知信号、磁気センサにより検知されたエラーを示す検知信号、制御基板１００から動作部４００に対して送られる、動作部４００における動作を制御するためのコマンド信号や駆動信号（駆動電流信号）などが含まれる。
【００１５】
また、「第１ポートに入力または出力された制御信号に基づき」接続異常を検出するとは、接続異常の有無を判定するための判定基準として、第１ポートを介して伝送される制御信号の有無や、制御信号のレベル、形状、位相などを用いることを示す。また、「第１ポートにおける印加電位に基づき」接続異常を検出するとは、接続異常の有無を判定するための判定基準として、第１ポートを介して印加される電圧電位のレベルや変化量、第１ポートを跨いでの電圧電位差などを用いることを示す。
【００１６】
ここで、動作部４００としては、遊技の制御に用いられる動作部、遊技機の状態を示す動作部、遊技の演出に用いられる動作部が含まれる。
「遊技の制御に用いられる動作部」とは、遊技機１０がパチンコ遊技機である場合、遊技球が特定の入賞口に入球することを契機として開始され、後述する各種の機能部により決定された結果の出力が行われるまでの一連の遊技処理に用いられる動作部（遊技の制御に用いる動作部）が含まれる。具体的には、一連の遊技の契機となる、始動口などの入賞口への入球を検知するカウントスイッチや、上記決定された遊技の結果の出力を行う、普通電動役物、特別電動役物として付設された開閉部材や遊技の結果と連動して動作する部材の動作を駆動するアクチュエータ（ソレノイドアクチュエータやモータアクチュエータ）などが含まれる。
また、「遊技機の状態を示す動作部」としては、遊技機１０に設置された不正な部品、磁石を用いて遊技球を誘導する不正行為などを検知する磁気センサや、扉の開放を検知するセンサなどが含まれる。
【００１７】
また、「遊技の演出に用いられる動作部」としては、遊技機１０における遊技の演出に用いられる出力手段（以下「出力手段」という）が含まれる。この出力手段としては、例えば、演出表示装置、スピーカ、装飾ランプ（ＬＥＤ）等が挙げられる。また、その他の出力手段としては、演出表示装置、スピーカ、ＬＥＤなどの装飾ランプが設けられた基板（被制御基板）や、演出用の可動式役物を駆動する演出用アクチュエータなども含まれる。
ここで、「遊技の演出」とは、遊技のために実行される一連の処理と連動して、またはこれらの処理を契機として実行され、遊技者が感得可能に出力される演出をいう。
【００１８】
また、遊技機１０が回胴式遊技機（いわゆる、スロットマシン）である場合には、メダルがベットされるなどの始動条件が成立している場合に始動操作の通知を受け、この通知に起因して内部抽選を行い、リールの停止操作を受けてリールの停止パターンを判別し、入賞に対応した特典を付与してメダル処理を行うまでの一連の遊技処理に用いられる動作部（動作部４００に対応）をいう。
【００１９】
ここで、定電位とは、遊技機１０における実質的に一定の電圧電位が印加された、電力線２５１の接続対象（定電位接続対象）を示し、例えば、動作電力などの供給が行われる給電端子、定電位が印加された動作部４００、フレーム接地などのグランド（アース）などが含まれる。
また、遊技機１０における定電位接続対象としては、制御基板１００内に設けられた給電端子やグランド（アース）、また、制御基板１００や後述する中継端子板の外部に設けられた給電端子やグランドなどが含まれる。
【００２０】
電力線２５１は、定電位が印加された定電位接続対象に接続された電力伝送線を含む。ここで、電力線２５１は、定電位接続対象と制御基板（主制御基板、演出制御基板を含む）または中継端子板に接続される。定電位接続対象としては、例えば、図２に示される遊技機の前枠１２に設けられたフレーム接地などのグランドが含まれる。
また、遊技機１０は、例えば、電力線２５１が、制御基板１００の外部に設けられたグランド（「定電位接続対象」の一例）と制御基板１００に接続されている場合に、この電力線２５１が分岐して制御信号ポート１０６に接続された構成であってもよい。
【００２１】
また、電力線２５１は、図１に示すように、制御基板１００の電力ポート１０２および動作部４００に接続され、例えば、遊技の制御に用いる動作部４００に対しては電力線２５１を介して電源電力、電流信号が伝達（送電）される。
ここで、電力線２５１としては、例えば、制御基板１００から動作部４００に対して電力信号を供給するための電力供給線や動作部４００における駆動動作用の電流を供給するための電流供給線などが含まれる。電力供給線や電流供給線として、具体的にはスイッチコモンやソレノイドコモンなどが含まれる。これらの構成については、後述する。
【００２２】
また、制御基板１００としては、遊技機における遊技を統括的に制御し、遊技の結果に影響を及ぼす各種機能を有する主制御基板１００や、遊技に関連する演出を制御する演出制御基板３００が含まれる。これら各基板の構成、各種機能については、後述する（図１２、１３、１４参照）。
また、制御基板１００では、動作部４００から送られた検知信号の種別や検知数などに応じて遊技機１０における遊技状態（例えば、確変状態、変短状態など）の制御を行う。
なお、検知信号の種別とは、各動作部４００の設置位置や入賞に対する重み付けの違いなどを示す。なお、「遊技状態の制御」の内容については後述する。
【００２３】
また、制御信号が伝送される制御信号中継線２５３、２５５はそれぞれ制御信号ポート１０４、１０６と動作部４００に接続されており、制御信号中継線２５３、２５５は、それぞれ動作部４００に含まれる異なる動作部（図示なし）に接続された構成であってもよい。
また、実施形態１および後述する実施形態における、主要な入賞口としては、後述する大入賞口５５、５６、第１始動口５７、第２始動口５９、作動ゲート６３、普通入賞口６７（６７ａ、６７ｂ、６７ｃ）などが含まれる（図１２、１３、１４参照）。
【００２４】
また、遊技機１０の接続異常検出部１０５は、電力線２５１から分岐した分岐電力線２５７、または、制御信号中継線２５３、２５５から分岐した分岐制御信号中継線（図示なし）が接続された制御信号ポート（例えば、制御信号ポート１０８）を監視する。
ここで、制御信号ポート１０８に対して電力線２５１から分岐した分岐電力線２５７が接続されている場合には、制御信号ポート１０８を介して接続異常検出部１０５に印加された電圧電位（印加電位）を監視し、この印加電位の変化を検出することにより、分岐電力線２５７における接続異常を検出する。
【００２５】
また、接続異常検出部１０５は、制御信号ポート１０８に対して制御信号中継線２５３、２５５から分岐した分岐制御信号中継線（図示なし）が接続されている場合、例えば、制御信号ポート１０８から制御基板１００に入力された制御信号と制御信号中継線２５３または２５５から得られる異なる２つの制御信号を比較することにより制御基板１００および中継端子板２００の間における接続異常を検出する構成であってもよい。
また、接続異常検出部１０５は、制御信号ポート１０８から制御基板１００に対して入力される制御信号が一定期間検出されない場合に、分岐電力線２５７に接続異常があったものと検出する構成であってもよい。
【００２６】
また、接続異常検出部１０５は、制御信号ポート１０８に接続された分岐電力線２５７と制御基板１００の内部で制御信号ポート１０８に接続された信号線とに接続し、すなわち、制御信号ポート１０８を跨いて接続して、制御信号ポート１０８における外部と内部の電位差に基づいて分岐電力線２５７における接続異常を検出する構成であってもよい。
また、接続異常検出部１０５は、制御信号ポートとコネクタの接続点や信号線（伝送線）を含む分岐電力線２５７における接続異常を検出した場合に、これを報知するための出力信号を送出する構成であってもよい。これにより、遊技機１０では、接続異常検出部１０５からの出力信号に基づきから接続異常が発生したことを示す報知音がスピーカから出力され、また、接続異常の発生を示すランプの点灯が行われる。
なお、接続異常検出部１０５は、制御基板１００上に設定されたプロセッサによるプログラム処理により実現される設定であってもよい。
【００２７】
また、制御基板１００は、予め決められた方向に並べられた複数の制御信号ポート１０４、１０６、１０８を含む基板ポート群１０１を有し、図１に示すように、上記の第１ポートである制御信号ポート１０８は基板ポート群１０１における一端に位置する構成としてもよい。
【００２８】
これにより、基板ポート群１０１における、分岐電力線２５７が接続された制御信号ポート１０８側で発生した断線や斜め差しなどが、接続異常検出部１０５によって迅速に検出される。
なお、基板ポート群１０１と信号ケーブルのコネクタ部分（接続部分）の接続異常として、具体的には、図１１に示すように、信号ケーブルのコネクタに含まれる異なる複数の接続端子のうちコネクタの一端側だけが断線している状態（以下、「斜め差し状態」という）などが生じ得る。なお、図１１では、一端側のコネクタ断線を起こしている態様が示されており、制御信号ポート１０８は一端または他端側に位置しているものとする。
【００２９】
なお、本実施形態１である遊技機１０では、接続異常検出部１０５が、制御基板１００内に設けられた構成が示されているが、接続異常検出部１０５は、分岐電力線２５７に接続された、制御基板１００の外部に設けられた構成であってもよい。
この場合、制御基板１００の制御信号ポート１０８から動作部４００に対して送出される制御信号を、制御基板１００の外側から監視し、分岐電力線２５７における接続異常の検出を行うことが可能となる。
【００３０】
[実施形態２]
ここで、実施形態２の遊技機１０ａについて、図２を用いて説明する。図２は、実施形態２としての遊技機１０ａの概略説明図である。
実施形態２の制御基板１００は、予め決められた方向に並べられた複数の制御信号ポート１０４、１０６、１０８を含む基板ポート群１０１における両端に位置する第１ポート（制御信号ポート１０８）および第２ポート（制御信号ポート１０４）を備え、電力線２５１または制御信号中継線２５３から分岐して第２ポート（制御信号ポート１０４）に接続された第２分岐線（図２では、分岐電力線２５９）を有し、このとき、接続異常検出部１０５は、第１ポート（制御信号ポート１０８）または第２ポート（制御信号ポート１０４）に印加される電圧電位、または、第１ポート（制御信号ポート１０８）または第２ポート（制御信号ポート１０４）に入力または出力される制御信号に基づいて、第１分岐線（分岐電力線２５７）または第２分岐線（分岐電力線２５９）における接続異常を検知する構成であってもよい。
【００３１】
すなわち、図２の制御基板１００は、予め決められた方向に並べられた複数の制御信号ポート１０４、１０６、１０８から成る基板ポート群１０１を備え、電力線２５１上の分岐点２７１で分岐して制御信号ポート１０８に接続された分岐電力線２５７と、電力線２５１上の分岐点２７３で分岐して制御信号ポート１０４に接続された分岐電力線２５９を備えている。
また、制御基板１００の接続異常検出部１０５は、制御信号ポート１０８（第１ポート）、制御信号ポート１０４（第２ポート）に印加される電圧電位に基づいて、分岐電力線２５７（第１分岐線）と制御信号ポート１０８における接続異常、もしくは、分岐電力線２５９（第２分岐線）と制御信号ポート１０４における接続異常を検知する。
【００３２】
なお、図２では、制御信号ポート１０４と制御信号ポート１０８に、電力線２５１から分岐した分岐電力線２５９と２５７が接続された構成を示しているが、制御信号中継線２５５上における２箇所の分岐点で分岐した分岐線（分岐制御信号中継線）それぞれが制御信号ポート１０４と制御信号ポート１０８に接続された構成であってもよい。
このとき、接続異常検出部１０５は、制御信号ポート１０４と制御信号ポート１０８に印加された電圧電位、または、制御信号ポート１０４と制御信号ポート１０８とから入力された制御信号に基づいて、制御信号ポート１０４側、あるいは制御信号ポート１０８側で生じた接続断線などの接続異常を検出する。
【００３３】
ここで、例えば、遊技機１０として、単一の制御信号中継線２５５上における異なる２つの分岐点で分岐された分岐制御信号中継線（図示なし）がそれぞれ制御信号ポート１０４と制御信号ポート１０８に接続された構成を有する場合、接続異常検出部１０５は、制御信号ポート１０４と制御信号ポート１０８に入力された制御信号に基づいて、制御信号ポート１０４側あるいは制御信号ポート１０８側で生じた接続異常の検出を行う。
このとき、制御信号中継線２５５を伝送される同一の制御信号が制御信号ポート１０４、制御信号ポート１０８それぞれに入力されるので、接続異常検出部１０５は、制御信号ポート１０４、制御信号ポート１０８それぞれから取得された制御信号の差分や、取得される時間差に基づき制御信号ポート１０４側、あるいは制御信号ポート１０８側で生じた接続断線などの接続異常を検出する設定であってもよい。
【００３４】
また、制御信号中継線２５５上における１箇所の分岐点で分岐した分岐線（分岐制御中継信号線）と、電力線２５１上における１箇所の分岐点で分岐した分岐線（分岐電力線）それぞれが制御信号ポート１０４と制御信号ポート１０８に接続された構成であってもよい。
このとき、接続異常検出部１０５は、制御信号ポート１０４または制御信号ポート１０８の一方に印加された電圧電位を監視し、印加された電圧電位の変化量に基づき制御信号ポート１０４側、あるいは制御信号ポート１０８側で生じた接続断線等の接続異常を検出する。
【００３５】
[実施形態３]
ここで、実施形態３としての遊技機１０ｃについて、図３を用いて説明する。図３は、実施形態３の遊技機１０ｃの主要な内部構成を示す概略説明図である。
実施形態３の遊技機１０ｃでは、制御基板１００の基板ポート群１０１に複数の制御信号ポート（１０４、１０６、１０８）と、電力線２５１（電力中継線）が接続された１または複数の電力ポート（ここでは、電力ポート１０２）が含まれ、制御信号ポート１０４、１０８が基板ポート群１０１における両端に位置する構成であってもよい。
【００３６】
すなわち、図３の制御基板１００は、予め決められた方向に並べられた複数の制御信号ポート１０４、１０６、１０８、および電力ポート１０２から成る基板ポート群１０１を備えており、基板ポート群１０１における両端のポートには、制御信号ポート１０４、１０８が位置する構成であってもよい。このとき、電力ポート１０２は基板ポート群１０１内における両端以外の内側ポートのいずれかに位置する。
【００３７】
これにより、接続異常検出部１０５は、１または複数の電力ポート（ここでは、１０２）が含まれる、より幅の広い基板ポート群における両端ポートの接続異常の監視を行う。
基板ポート群（コネクタ）は、通常、異なる複数の伝送線が束となった信号伝送線のコネクタと接続される。一定幅をもつコネクタと基板ポート群との接続では、斜め刺し状態（図１１）など、基板ポート群の両端に位置するポート接続箇所で最も断線が起こりやすい。
【００３８】
また、図３に示す構成では、電力ポート１０２が基板ポート群１０１における両端以外の内側の位置にあるので、接続異常や断線などが生じた場合に、遊技機１０全体への影響が大きい電力ポート１０２や電力線２５１で接続不良が生じるのを有効に抑制することが可能となる。
【００３９】
また、上記図１〜３に示すように、遊技機１０、１０ａ、１０ｃでは、基板ポート群１０１の両端のポートには、電力供給が実際に行われる本線としての電力線２５１や制御信号が実際に伝送される制御信号中継線２５５から分岐した分岐線としての「ダミー線」が接続されている。このため、このダミー線に接続異常が生じた場合でも、遊技機１０に致命的な動作不良は生じず、基板ポート群１０１の内側に接続された信号線に接続異常が生じるまでは、遊技機を正常に動作させることができる。
すなわち、基板ポート群１０１における、より内側にある線の接続異常が起こって初めて遊技機における通常の遊技動作に致命的な動作エラーや停電状態などが生じる。このため、遊技機の通常動作に影響の大きなエラーの発生や停電状態に至るのに先立って、すなわち、斜め刺し状態など、遊技機１０、１０ａ、１０ｃにおける致命的な動作不良が発生する前段階で、接続異常を検出することができる。
【００４０】
また、遊技機１０、１０ａ、１０ｃでは、分岐線および制御信号ポートにおける接続異常の検出用に、基板ポート群１０１内における空きポートに分岐線（分岐電力線または分岐制御信号中継線）が接続される。このため、制御基板に「空きポート」が発生してしまうのを抑止することが可能となる。
【００４１】
［遊技機１０、１０ａ、１０ｃにおける「空きポート」について］
ここで、上記基板ポート群１０１内における「空きポート」について説明する。
パチンコ機や回胴式遊技機（スロットマシン）などの遊技機では、機種変更等に伴い、制御基板に対応する被制御機器や出力手段の数や構造の変更が行われる。
このため、例えば、旧機種から新機種へと機種変更が行われる場合に、この機種変更に伴い旧機種における制御基板に接続された異なる複数の動作部のうちの一つまたは複数の動作部（動作部Ｄ１（図示なし）とする）が新機種においては取り外される、といったことが生じ得る。
このような場合、新機種においては、使用されなくなる動作部Ｄ１や、この動作部Ｄ１が接続していた制御信号中継線（Ｌ１：図示なし）、そして、この制御信号中継線Ｌ１が接続していた制御信号ポートなどが不要となる。
ここで、旧機種で利用されていた制御基板を新機種においても利用しようとする場合、旧機種で制御信号中継線Ｌ１が接続されていた制御基板の制御信号ポートは未使用状態となる。すなわち、新機種において、未使用状態の制御信号ポートを「空きポート」という。
このため、本実施形態１である遊技機１０（ここでは、「新機種」に相当）では、図１に示すように、空きポートとなる制御信号ポート１０８に対して分岐電力線２５７が接続された構成を有する。
【００４２】
以上のように、実施形態１〜３では、接続異常検出部１０５が分岐電力線２５７、２５９の接続された制御信号ポート１０４、１０８を対象として接続異常の検出を行う。これにより、基板ポート群１０１における制御信号ポート１０８側（分岐電力線２５７から制御信号ポート１０８までの分岐線）または、制御信号ポート１０４側（分岐電力線２５９から制御信号ポート１０４までの分岐線）の接続異常を迅速に検出することが可能となり、更には、新機種となる遊技機で旧機種で利用されていた制御基板を利用する場合でも、制御基板における空きポート（空き端子）の発生を抑止することが可能となる。
ここで、接続異常検出部１０５は、分岐電力線２５７または２５９を介して制御信号ポート１０４または１０８それぞれに印加される電圧電位の変化を検出することにより、制御信号ポート１０４、１０８における接続異常を検出する。なお、分岐電力線２５７、２５９は電力線２５１から分岐された副次的な電力線（あるいは制御信号中継線）であるため、電力線２５１を介して行われる電力供給や制御信号中継線２５５を伝送される制御信号（検出信号など）に対して影響を与えることなく、基板ポート群１０１における断線や、斜め刺し状態の発生などを迅速に検出することが可能となる。
【００４３】
なお、遊技機１０、１０ａ、１０ｃにおける電力線２５１および分岐電力線２５７、制御信号中継線２５５はそれぞれフレキシブルケーブルで構成され、制御基板１００および動作部４００の接続の仕方としては空中配線で接続されていてもよい。
また、制御基板１００および動作部４００の接続の態様として、制御基板１００および動作部４００の間に中継端子板２００を設け、制御信号中継線２５３、電力線２５１、および分岐電力線２５７の一部が導電体で中継端子板２００上にパターニングされた構成であってもよい。以下、この構成について説明する。
【００４４】
[実施形態４]
ここで、実施形態４としての遊技機１０ｄについて図４を用いて説明する。図４は、実施形態４としての遊技機１０ｄの概略説明図である。
【００４５】
ここで、遊技機１０ｄは、図４に示すように、制御基板１００と動作部４００（動作部４００ａ、４００ｂ）との間に設けられた中継端子板２００を有し、中継端子板２００は、制御基板１００が有する制御信号ポート１０４、１０６、１０８それぞれに対応して接続された異なる複数の制御信号中継端子２１４、２１６、２１８と、動作部４００（動作部４００ａ、４００ｂ）および制御基板１００の間で制御信号が伝送される制御信号中継線２５３、２５５の一部としての制御信号中継線部２６４、２６９を備えている。
図４の中継端子板２００は、制御信号ポート１０８（第１ポート）に接続された中継端子板２００の制御信号中継端子２１８（第１端子）に対して電力線２５１（電力中継線）または制御信号中継線２５３、２５５から分岐して接続された第１分岐部（図４では、電力線２５１から分岐した分岐電力線部２６８）を備えている。
【００４６】
また、図４の中継端子板２００は、制御基板１００と動作部４００との間に設けられ、制御信号ポート１０４、１０６、１０８それぞれに対応して接続された異なる複数の制御信号中継端子２１４、２１６、２１８の一部と、動作部４００および制御基板１００の間で伝送される制御信号の中継伝送を行う制御信号中継線の一部を備えている。
また、中継端子板２００は、制御信号ポート１０８（第１ポート）に接続された制御信号中継端子２１８（第１端子）に対して、電力線２５１の一部である電力線部２６２、または、制御信号中継線２５３、２５５の一部である制御信号中継線部２６４、２６９から分岐して接続された第１分岐部（ここでは、分岐電力線部２６８）を備えている。
【００４７】
すなわち、遊技機１０ｄは、図４に示すように、１または複数の動作部４００との間で制御信号の送信または受信を行う複数の制御信号ポート１０４、１０６、１０８と、動作部４００に対する電力供給を中継する電力線２５１が接続した電力ポート１０２を有する制御基板１００と、動作部４００および制御基板１００の間で制御信号の中継伝送を行う異なる複数の制御信号中継線２５３、２５５と、電力線２５１から分岐して、制御信号中継端子２１８を介して制御信号ポート１０８に接続された分岐電力線２５７を備えた構成を有する。
【００４８】
なお、図４の中継端子板２００には、電力線２５１の一部である電力線部２６２と、制御信号中継線２５３、２５５の一部である制御信号中継線部２６４、２６９と、電力線部２６２上の分岐点２７１で分岐して制御信号中継端子２１８の内端子に接続された分岐電力線部２６８とがそれぞれプリントパターンとして配設されている。
【００４９】
なお、中継端子板２００は制御基板１００に対向した側に異なる複数の制御信号中継端子２１４、２１６、２１８と、動作部４００側に異なる複数の制御信号中継端子２９４、２９６を備えている。
【００５０】
ここで、制御信号中継端子２１４、２１６、２１８、２９４、２９６はそれぞれ中継端子板２００上のプリントパターンと接続される内端子と中継端子板２００の外部の機器や基板と伝送線（信号伝送線コネクタ）を介して接続される外端子を有する。
また、中継端子板２００上に配設された分岐電力線部２６８は、分岐点２７１と制御信号中継端子２１８とに接続され、制御信号中継線部２６４は制御信号中継端子２１４の内端子と制御信号中継端子２９４の内端子とに接続されている。また、中継端子板２００上に配設された制御信号中継線部２６９は制御信号中継端子２１６の内端子と制御信号中継端子２９６の内端子とに接続され、電力線部２６２は電力中継端子２１２および電力中継端子２９２それぞれの内端子に接続されている。
【００５１】
また、図４における、電力中継端子２１２、２９２はそれぞれ内端子と外端子を有する。ここで、電力中継端子２１２の外端子と電力ポート１０２の外端子とは伝送線１８１を介して接続され、制御信号中継端子２１４、２１６、２１８それぞれの外端子は伝送線１８３、１８５、１８７を介して制御信号ポート１０４、１０６、１０８それぞれの外端子に接続されている。
【００５２】
また、電力中継端子２９２の外端子は伝送線３８１を介して、動作部４００として設けられた動作部４００ａ、４００ｂに対して並列に接続されている。また、制御信号中継端子２９４、２９６の外端子はそれぞれ伝送線３８３、３８５を介して動作部４００に接続されている。なお、伝送線３８３、３８５はそれぞれ異なる動作部４００ａ、４００ｂに接続されている。
なお、電力線２５１は、図４に示すように、伝送線１８１、２１２、２６２、２９２、および伝送線３８１を含み、分岐電力線２５７は、分岐電力線部２６８、制御信号中継端子２１８、伝送線１８７を含む。
【００５３】
ここで、図４に示す接続異常検出部１０５は、分岐電力線２５７における接続異常を検出する。これにより、基板ポート群１０１における、中継端子板２００上の分岐電力線部２６８が接続された制御信号中継端子２１８、伝送線１８７、または制御信号ポート１０８で発生した断線や斜め差し状態などの接続異常を、接続異常検出部１０５によって迅速に検出することができる。
【００５４】
なお、基板ポート群１０１と信号ケーブルのコネクタ部分（接続部分）の接続異常として、具体的には、図１１に示すように、信号ケーブルのコネクタに含まれる異なる複数の接続端子のうちコネクタの一端側だけが断線している状態（斜め差し状態）などが生じ得る。なお、図１１では、図面上方側でコネクタ断線が生じている態様が示されている。
【００５５】
ここで、中継端子板２００上の分岐電力線部２６８（第１分岐部）には、図４に示すように、抵抗素子Ｒ２４２が設けられていてもよい。これにより、接続異常検出部１０５に対して分岐電力線部２６８を介して印加される電力電位を適正に制御することができる。このため、接続異常検出部１０５では、制御信号ポート１０８、伝送線、および制御信号中継端子２１８における接続異常を正確に検出することが可能となる。
【００５６】
また、図４の制御基板１００は、予め決められた方向に並べられた複数の制御信号ポート１０４、１０６、１０８を含む基板ポート群１０１を有し、基板ポート群１０１における両端に位置する第１ポート（制御信号ポート１０８）と第２ポート（制御信号ポート１０４）を備え、中継端子板２００は、予め決められた方向に並べられた複数の信号中継端子２１４、２１６、２１８を含む中継基板端子群２０１を有し、電力線２５１（または制御信号中継線２５３に相当）からそれぞれ分岐して中継基板端子群２０１における両端に位置する信号中継端子２１８（第１端子）、信号中継端子２１４（第２端子）に対して接続された分岐電力線部２６８（第１分岐部）および分岐電力線部（第２分岐部：図示なし）を備えた構成であってもよい。
ここで、制御基板１００（図４）の接続異常検出部１０５は、信号中継端子２１８（第１端子）に接続された制御信号ポート１０８（第１ポート）、および制御信号中継端子２１４（第２端子）に接続された制御信号ポート１０４（第２ポート）それぞれに印加された電圧電位（または制御信号）に基づき、第１分岐線（分岐点２７１から制御信号ポート１０８までの分岐電力線（図４））または第２分岐線（図示なし：制御信号ポート１０４に接続された分岐電力線）における接続異常を検知する。
【００５７】
ここで、この遊技機１０ｄにおける電力ポート１０２は基板ポート群１０１には含まれず、電力中継端子２１２も中継基板端子群２０１には含まれないものとする。すなわち、ここでは、電力ポート１０２は基板ポート群１０１における端部より外側に設けられ、電力中継端子２１２も中継基板端子群２０１における端部より外側に設けられている。
【００５８】
ここで、電力線部２６２上の異なる２点の分岐点２７１、２７３それぞれで分岐して中継端子板２００上に設けられた電力線を分岐電力線部とする。ここでは、図５に示すように、分岐点２７１と制御信号中継端子２１８の内端子とに接続されたプリントパターンを分岐電力線部２６８とする。また、分岐点２７３と制御信号中継端子２１４の内端子とに接続されたプリントパターンを分岐電力線部２６６とする。なお、分岐電力線部２６６、２６８には、それぞれ抵抗素子Ｒ２４１、Ｒ２４２が設けられた構成であってもよい。
この構成により、接続異常検出部１０５に対して分岐電力線部２６８、２６６を介して印加される電圧電位を適正に制御することができる。
これにより、接続異常検出部１０５では、分岐点２７３から制御信号ポート１０４までの分岐電力線２５９（図５）と、分岐点２７１から制御信号ポート１０８までの分岐電力線２５７それぞれにおける接続異常を正確に検出することが可能となる。
【００５９】
[実施形態５]
次に、実施形態５としての遊技機１０ｅについて、図５を用いて説明する。なお、図５は、遊技機１０ｅの主要な内部構成を示す概略説明図である。
ここで、実施形態５としての遊技機１０ｅが備えた中継端子板２００の中継基板端子群２０１には、図５に示すように、電力線２５１および電力ポート１０２に接続された電力中継端子２１２が含まれ、この中継基板端子群２０１における一端および他端のそれぞれには信号中継端子２１４、２１８が位置する構成であってもよい。
すなわち、図５の中継端子板２００は、電力ポート１０２に接続した電力線２５１を中継する電力中継端子２１２と異なる複数の信号中継端子２１４、２１６、２１８とを含む中継基板端子群２０１を備え、信号中継端子２１４と２１８が中継基板端子群２０１における両端に位置するものとする。
【００６０】
ここで、制御基板１００は、図５に示すように、予め決められた方向に並べられた複数の制御信号ポート１０４、１０６、１０８、および電力ポート１０２から成る基板ポート群１０１を備えている。また、基板ポート群１０１における両端のポートは制御信号ポート１０４、１０８で構成され、このため、電力ポート１０２は基板ポート群１０１内における両端以外の場所に位置する。
【００６１】
これにより、接続異常検出部１０５は、より幅の広い基板ポート群１０１における両端ポートの監視を行い、分岐電力線部２６６から制御信号ポート１０４までの分岐電力線、または、分岐電力線部２６８から制御信号ポート１０８までの分岐電力線における接続異常を検出する。
【００６２】
また、遊技機１０ｅは、動作部４００に電力線２５１を介して定電位が印加され、電力線２５１から分岐電力線２５７（第１分岐部）と分岐電力線２５９（第２分岐部）とが分岐されている場合に、中継端子板２００上に設けられた、分岐電力線２５７の一部である分岐電力線部２６８（第１分岐部）および分岐電力線部２６６（第２分岐部）それぞれに抵抗素子Ｒ２４２、Ｒ２４１が設けられた構成であってもよい。
これにより、接続異常検出部１０５に対して分岐電力線部２６８、２６６を介して印加される電力電位を適正に制御することができ、このため、接続異常検出部１０５では、分岐電力線部２６６から制御信号ポート１０４までの分岐電力線（図２の分岐電力線２５９に相当：伝送線１８３および制御信号中継端子２１４を含む）と、分岐電力線部２６８から制御信号ポート１０８までの分岐電力線（図２の分岐電力線２５７に相当：伝送線１８７および制御信号中継端子２１８を含む）それぞれにおける接続異常を正確に検出することが可能となる。
【００６３】
ところで、制御基板１００の基板ポート群１０１は、通常、異なる複数の伝送線が束となった信号伝送線のコネクタと接続される。一定幅をもつコネクタと基板ポート群との接続では、斜め刺し状態（図１１）や断線などの接続異常は、基板ポート群の両端いずれか一方に位置するポート接続で最も起こりやすい。
【００６４】
また、図５に示す遊技機ｅの構成では、電力ポート１０２が基板ポート群１０１における両端以外の内側の位置にあるので、基板ポート群１０１における接続異常や断線などが生じた場合に遊技機１０ｅにおける動作全体への影響が大きい、電力ポート１０２や電力線２５１での接続異常が生じるのを有効に抑制することが可能となる。
【００６５】
また、上述のように、図１〜５に示す遊技機１０、１０ａ、１０ｃ、１０ｄ、１０ｅでは、基板ポート群１０１の両端のポートには、本線である電力線２５１や制御信号中継線２５５から分岐したダミー線が接続されている。このため、このダミー線が抜けても、遊技機１０における致命的な動作不良や停電などの発生が抑制される。すなわち、基板ポート群１０１では、より内側にある線の接続異常が起こって初めて遊技機の動作に致命的な動作エラーや停電状態などが生じるため、遊技機にとっての致命的な動作エラーや停電状態に至るのに先立って、斜め刺し状態などの、遊技機全体への影響が比較的軽微な接続異常を早い段階で検出することができる。
【００６６】
また、実施形態１〜５の遊技機１０、１０ａ、１０ｃ、１０ｄ、１０ｅでは、分岐線および制御信号ポートにおける接続異常の検出用に、基板ポート群１０１内における空きポートに分岐線（分岐電力線または分岐制御信号中継線）が接続される。このため、制御基板に「空きポート」が発生してしまうのを抑止することも可能となる。
【００６７】
[実施形態６]
次に、実施形態６としての遊技機１０ｂについて、図６、図１１を用いて説明する。図６は、遊技機１０ｂの主要な内部構成を示す概略説明図である。
遊技機１０ｂは、図６に示すように、遊技の演出に用いられる上記出力手段としての動作部４１０と、動作部４１０に電力供給（電源供給）を行い、動作部４１０に対して制御信号を送ることにより動作部４１０における演出動作を駆動する制御を行う演出制御基板３００を備えている。
なお、この遊技機１０ｂでは、演出制御基板３００から動作部４１０に対して電力線２５１ｂを介して電力供給が行われる。また、演出制御基板３００から動作部４１０に対して制御信号中継線２５３ｂ、２５５ｂを介して制御信号が送られる。
【００６８】
また、動作部４１０としては、遊技機１０ｂにおける遊技に関連する演出に用いられる出力手段（以下「出力手段」という）が含まれる。なお、動作部４１０には、異なる複数の出力手段ａ、ｂが含まれるものとする。この出力手段ａ、ｂとしては、例えば、演出表示装置８０（液晶表示装置など）、スピーカ３３、照明装置３５（ＬＥＤなど）、可動式役物等が挙げられる。これらの構成については後述する（図１４参照）。更には、上記動作部４１０には、上記演出表示装置８０、スピーカ３３、照明装置３５などの出力手段が設けられた基板（非制御基板）や、演出用の可動式役物を駆動する演出アクチュエータ３８なども含まれる。
また、図６の遊技機１０ｂは、演出制御基板３００に対して遊技に関連する演出用の制御信号（演出用制御コマンド）を送信する主制御基板１１０ｂを備えている。演出用制御コマンドには、スピーカ３３による音声演出、ＬＥＤや冷陰極線管放電管などの照明装置３５によるランプ演出、演出表示装置８０による図柄演出、および可動式役物などの演出ギミックを駆動する役物演出などを実現するための制御コマンドを含む。
【００６９】
演出制御基板３００は、遊技機１０ｂ（図６）によって行われる遊技、特に特別図柄変動ゲームに関連する演出を制御する演出制御部３２０と、入力ポートである制御信号ポート３０８に印加された電圧電位を監視することにより、制御信号ポート３０８に接続された分岐電力線２５７ｂにおける接続異常を検出する接続異常検出部３０５を備えている。なお、演出用制御コマンドについては、図１４を用いて後述する。
【００７０】
中継端子板２００ｂは、演出制御基板３００と動作部４１０との間に設けられ、演出制御基板３００の電力ポート３０２、制御信号ポート３０４、３０６、３０８それぞれに対応して接続された異なる複数の電力中継端子２１１ｂ、２９２ｂ、制御信号中継端子２１３ｂ、２１５ｂ、２１７ｂ、２９４ｂ、２９６ｂと、動作部４１０および演出制御基板３００の間で制御信号が伝送される制御信号中継線２５３ｂ、２５５ｂそれぞれの一部を備えている。
また、中継端子板２００ｂは、制御信号ポート３０８に接続された信号中継端子２１７ｂに対して電力線部２６２ｂ（電力中継線の一部）または制御信号中継線部２６４ｂ、２６６ｂ（制御信号中継線の一部）から分岐して接続された分岐電力線部２６８ｂを備えている。
【００７１】
図６に示す遊技機１０ｂは、１または複数の動作部４１０に対する制御信号の送信を行う複数の制御信号ポート３０４、３０６、３０８と、動作部４１０に対して電力線２５１ｂを介して導通した電力ポート３０２を有する演出制御基板３００と、動作部４１０および制御基板１００の間で伝送される制御信号の中継伝送を行う制御信号中継線（図２の制御信号中継線２５３、２５５に相当）と、電力線２５１ｂから分岐して制御信号ポート３０８に接続された分岐電力線２５７ｂを備えている。なお、分岐電力線２５７ｂは、分岐電力線部２６８ｂ、制御信号中継端子２１７ｂ、および伝送線１８５ｂから成るものとする。
【００７２】
また、図４の遊技機１０ｂは、演出制御基板３００と動作部４１０との間に設けられた中継端子板２００ｂを有し、この中継端子板２００ｂ上には、電力線の一部である電力線部２６２ｂと、制御信号中継線の一部である制御信号中継線部２６４ｂ、２６６ｂと、電力線部２６２ｂ上の分岐点２７１ｂから分岐された分岐電力線部２６８ｂとがプリントパターンとして配設されている。
【００７３】
また、中継端子板２００ｂは演出制御基板３００に対向した側に異なる複数の制御信号中継端子２１３ｂ、２１５ｂ、２１７ｂを備え、動作部４１０側に異なる複数の制御信号中継端子２９４ｂ、２９６ｂを備えている。また、中継端子板２００ｂは、電力中継端子２１１ｂ、２３１ｂを備えている。
【００７４】
ここで、制御信号中継端子２１３ｂ、２１５ｂ、２１７ｂ、２９４ｂ、２９６ｂ、および電力中継端子２１１ｂ、２９２ｂは、それぞれ中継端子板２００ｂ上のプリントパターンと接続される内端子と中継端子板２００の外部の機器や基板と伝送線（信号伝送線コネクタ）を介して接続される外端子からなる。ここで、上記分岐電力線部２６８ｂは分岐点２７１ｂと制御信号中継端子２１７ｂとに接続されたプリントパターンであり、制御信号中継線部２６４ｂは制御信号中継端子２１３ｂの内端子と制御信号中継端子２９４ｂの内端子とを接続するプリントパターンであり、制御信号中継線部２６６ｂは制御信号中継端子２１５ｂの内端子と制御信号中継端子２９６ｂの内端子とを接続するプリントパターンであり、電力線部２６２ｂは電力中継端子２１１ｂおよび電力中継端子２９２ｂそれぞれの内端子を接続するプリントパターンである。
【００７５】
また、中継端子板２００ｂは、電力中継端子２１１ｂ、２９２ｂを備えており、電力中継端子２１１ｂ、２９２ｂもそれぞれ内端子と外端子からなる。ここで、電力中継端子２１１ｂの外端子と電力ポート３０２の外端子とは伝送線１８１ｂを介して接続され、制御信号中継端子２１３ｂ、２１５ｂ、２１７ｂそれぞれの外端子は制御信号ポート３０４、３０６、３０８それぞれの外端子に接続されている。
【００７６】
また、電力中継端子２９２ｂの外端子は伝送線３８１ｂを介して動作部４１０として設けられた各動作部（４１０ａ、４１０ｂ）に対して並列に接続されている。また、制御信号中継端子２９４ｂ、２９６ｂの外端子はそれぞれ伝送線３８３ｂ、３８５ｂを介して動作部４１０に接続されている。
【００７７】
なお、図６では、電力線は伝送線１８１ｂ、２１１ｂ、２６２ｂ、２９２ｂ、および伝送線３８１ｂからなる電力線が電力線２５１（図１〜５）に相当する。また、分岐電力線部２６８ｂ、制御信号中継端子２１７ｂ、伝送線１８５ｂからなる分岐電力線が図１〜５の分岐電力線２５７に相当する。ここで、図６に示す遊技機１０ｂの接続異常検出部３０５は、制御信号ポート３０８、伝送線１８５ｂ、および制御信号中継端子２１７ｂにおける接続異常を検出する。
【００７８】
これにより、演出制御基板ポート群３０１における、中継端子板２００ｂ上の分岐電力線部２６８ｂが接続された制御信号中継端子２１７ｂ、伝送線１８５ｂ、および制御信号ポート３０８で発生した断線や斜め差し状態などが、接続異常検出部３０５により迅速に検出される。
【００７９】
なお、演出制御基板ポート群３０１と信号ケーブルのコネクタ部分（接続部分）の接続異常として、具体的には、図１１に示すように、信号ケーブルのコネクタに含まれる異なる複数の接続端子のうちコネクタの一端側だけが断線している状態（斜め差し状態）などが生じ得る。なお、図１１では、コネクタの一端側で断線が生じている態様が示されている。
【００８０】
また、制御信号中継線２５３ｂ、２５５ｂはそれぞれ異なる動作部（例えば、４１０ａ、４１０ｂ）に接続された構成であってもよい。なお、遊技機１０ｂにおける中継端子板２００ｂは、分岐電力線部２６８ｂ（第１分岐部）に抵抗素子（図４のＲ２４２に対応）が設けられた構成であってもよい。
これにより、接続異常検出部３０５に対して分岐電力線部２６８ｂを介して印加される電力電位を、接続異常検出部３０５が適正に制御することができるので、接続異常検出部３０５は、制御信号ポート３０８、伝送線１８５ｂ、および制御信号中継端子２１７ｂにおける接続異常を正確に検出することが可能となる。
【００８１】
なお、遊技機１０ｂは、電力線２５１ｂ、電力線２５１ｂの分岐点から制御信号ポート３０８までの分岐電力線２５５ｂ、および制御信号中継線２５３ｂ、２５５ｂが、それぞれフレキシブルケーブルで構成されていてもよい。すなわち、演出制御基板３００および動作部４１０は、図６のような中継端子板２００ｂを設けることなく、フレキシブルケーブルを用いた空中配線で接続された構成であってもよい。
【００８２】
また、中継端子板２００ｂの備えた中継基板端子２１３ｂ、２１５ｂ、２１７ｂを含む中継基板端子群２０１には、電力線２５１ｂと演出制御基板３００の電力ポート３０２に接続された電力中継端子２１１ｂとが含まれ、この中継基板端子群２０１における一端および他端のそれぞれには信号中継端子２１３ｂ、２１７ｂが位置する構成であってもよい。
すなわち、中継端子板２００ｂは、電力ポート３０２に接続した電力線２５１ｂを中継する電力中継端子２１１ｂと、異なる複数の信号中継端子２１３ｂ、２１５ｂ、２１７ｂとを含む中継基板端子群２０１ｂを備え、信号中継端子２１３ｂと２１７ｂが中継基板端子群２０１ｂにおける両端に位置する構成であってもよい。
【００８３】
また、動作部４１０に電力線２５１ｂを介して定電位が印加され、電力線２５１ｂから分岐電力線２５７ｂと分岐電力線２５９ｂとが分岐されている場合に、中継端子板２００ｂ上に設けられた、分岐電力線２５７ｂの一部である分岐電力線部２６８ｂ（第１分岐部）および分岐電力線部２６６ｂ（第２分岐部）それぞれに抵抗素子Ｒ２４２、Ｒ２４１が設けられた構成であってもよい。
これにより、接続異常検出部３０５に対して印加される電力電位を適正に制御することができ、このため、接続異常検出部３０５では、制御信号ポート３０４に接続された分岐電力線２５７ｂまたは、制御信号ポート３０８に接続された分岐電力線２５９ｂにおける
おける接続異常を正確に検出することが可能となる。
【００８４】
以上のように、遊技機１０ｂでは、演出制御基板３００で空きポートとなり得る制御信号ポート３０６に対して分岐電力線（または、分岐された電力線に接続した伝送線）が接続されるので、演出制御基板３００における空き端子の発生を抑止することができ、このため、出力手段（動作部４１０）の数や構成が変更された場合でも、変更前の演出制御基板３００を共通して利用することが可能となる。
【００８５】
［遊技機の外観］
次に、上述の遊技機１０、１０ａ、１０ｂ、１０ｃ、１０ｄ、１０ｅの外観について、図１２〜図１４を用いて説明する。ここで、遊技機１０、１０ａ、１０ｂ、１０ｃ、１０ｄ、１０ｅ、および、後述する遊技機２０、３０の外観は同一とする。以下、遊技機１０、１０ａ、１０ｂ、１０ｃ、１０ｄ、１０ｅ、２０、および３０の外観を示す場合は遊技機１０という。
遊技機１０は、図１２または図１３に示すように、前後に開口する矩形枠状の外枠１５と、外枠１５の開口前面側に遊技盤５０を着脱可能に保持する中枠（図示せず）と、遊技盤５０（中枠）の前面側を覆うよう構成された前枠１２と、を備える。
【００８６】
前枠１２は、ヒンジ機構２１により左端側を回動自在に支持され、中枠に対して開閉可能となっている。なお、前枠１２は、シリンダ錠２３により施錠・解錠が可能となっている。前枠１２は、遊技領域５０ａを覆うように配置された透明部材２５を備え、透明部材２５によって遊技領域５０ａおよび遊技盤５０を透視保護している。
また、前枠１２は、遊技球を貯留する上球受け皿２７および下球受け皿２９を備え、上球受け皿２７と下球受け皿２９は上下に離間して前枠１２と一体的に設けられている。さらに、前枠１２は、下球受け皿２９の右側方に操作ハンドル３１を備え、操作ハンドル３１の回動操作によって、上球受け皿２７に貯留された遊技球が遊技領域５０ａに向けて発射されるようになっている。
【００８７】
前枠１２の上枠部３２の左側と右側にそれぞれ一対のスピーカ３３（３３ａ、３３ｂ）が配設されている。また、前枠１２の上枠部３２と左右側枠部３４、３６は光透過性のカバーにより形成されており、その内部にはそれぞれ照明装置３５（３５ａ、３５ｂ、３５ｃ、３５ｄ、３５ｅ、３５ｆ、３５ｇ）が配設されている。スピーカ３３や照明装置３５は、遊技中に発生する演出やエラー報知等と連動して音声出力または点灯若しくは消灯することができる。
前枠１２は、上球受け皿２７の前方部にボタン３７が配設されている。ボタン３７は、遊技中に発生する演出を切り替えるまたは遊技者が遊技機１０に関わる種々の情報を得るために行う遊技者の操作を受け付けることができる。
【００８８】
下球受け皿２９の下部には、下球受け皿２９に貯留された遊技球を下方へ排出する球抜き機構３９が設けられている。この球抜き機構３９を操作することにより、下球受け皿２９の底面に形成された底面口（図示せず）が開口して、該底面口から遊技球が自然落下して排出される。
【００８９】
演出表示装置８０は、遊技盤５０の略中央に配設されている。演出表示装置８０は、演出図柄の変動を含む各種の演出を表示することができる。ここで演出図柄とは、遊技機１０における遊技の興趣をより高めるために、演出表示装置８０に表示される図柄であり、具体的には数字や絵柄またはそれらの組み合わせから構成されている。
一般的に、遊技機１０の遊技者は演出表示装置８０に表示される演出図柄の変動演出により当該遊技の興趣を喚起されており、演出表示装置８０は遊技者にとって視認しやすい位置に配置されている。
演出表示装置８０としては、一般的には液晶パネルを収容ケースに収容した液晶表示装置が採用されるが、これに限られるものではなく、ドラム式やドットマトリックス式等、多様な方式の表示装置を採用し得る。
【００９０】
演出表示装置８０は、その表示領域の略中央に演出図柄が表示され、さらに当該演出図柄の左側および右側にもそれぞれ演出図柄が表示される。すなわち、演出表示装置８０には、「左」「中」「右」にそれぞれ演出図柄が表示され、表示された演出図柄が一または複数の列をなしている。これらの演出図柄が上下方向あるいは左右方向にスクロールすることにより、演出図柄が演出表示装置８０の表示領域に変動表示される。
【００９１】
図柄表示装置９０は、演出表示装置８０の右下側など、演出表示装置８０よりも遊技者が視認しにくい位置に配設される。また、図柄表示装置９０の表示領域は、演出表示装置８０の表示領域よりも小さい面積になっている。
図柄表示装置９０は、複数のランプが配列されている。本実施形態で図柄表示装置９０に用いられるランプとは、発光ダイオード（以下、ＬＥＤと称す）である。図柄表示装置９０は、発光するＬＥＤの配列によって種々の情報を示し、特別図柄表示装置９１と普通図柄表示装置９２とを含んでいる。
【００９２】
特別図柄表示装置９１は複数個（例：１６個）のＬＥＤの発光パターンにより特別図柄変動ゲームの抽選結果（特別図柄）を表示する。より詳細に言えば、本実施形態の特別図柄表示装置９１は、第１特図表示制御部１１５１によって制御される第１特別図柄表示装置９１ａと、第２特図表示制御部１１５２によって制御される第２特別図柄表示装置９１ｂと、を含んでいる。第１特別図柄表示装置９１ａは、特別図柄表示装置９１を構成するＬＥＤ１６個のうち左側の８個から構成される。また、第２特別図柄表示装置９１ｂは、特別図柄表示装置９１を構成するＬＥＤ１６個のうち右側の８個から構成される。普通図柄表示装置９２は特別図柄表示装置９１より少ない数（例：２個）のＬＥＤの発光パターンにより普通図柄変動ゲームの抽選結果（普通図柄）を表示する。
【００９３】
遊技盤５０の前面には、多数の遊技釘（図示せず）や風車５２、装飾部材といった障害物が配置されていることにより、打ち出された遊技球が転動するように遊技領域５０ａが画成されている。また、遊技領域５０ａの左側および上側には、操作ハンドル３１の回転操作により発射された遊技球を遊技領域５０ａの上部に案内するために設けられた湾曲形状の外レール５１および内レール５３が配置されている。なお、外レール５１は、遊技領域５０ａ中央からみて内レール５３より外側に位置している。
ここで風車５２とは、遊技球の落下の方向に変化を与えるための機構で、くぎ状のものをいう。
【００９４】
遊技機１０は操作ハンドル３１の回転操作量（例えば回転角度）の大小によって遊技球の打ち出しの強弱をつけることが可能になっており、より弱く打ち出された遊技球が転動する第１流路Ｘ（いわゆる左打ち）、より強く打ち出された遊技球が転動する第２流路Ｙ（いわゆる右打ち）、のいずれか一方を遊技球が転動するように各種障害物が遊技領域５０ａに配置されている。
【００９５】
遊技領域５０ａには、各種の入賞口（例えば大入賞口５５等）が配設され、各入賞口の後方には入球した遊技球を検知する各種スイッチ（例えばカウントスイッチＳＷ４等）が配設されている。なお、以下の説明において入球とは、遊技球が特定の入賞口に入球することをいう。
本実施形態においては、上記の各種スイッチは遊技者が視認できない位置に配置されており、図１２、図１３、図１４においては図示しない。
【００９６】
図１３には、主要な入賞口として、大入賞口５５、大入賞口５６、第１始動口５７、第２始動口５９、作動ゲート６３、普通入賞口６７（６７ａ、６７ｂ、６７ｃ）を図示する。ここで図示する入賞口は一例であり、その数や配置は適宜変更しても構わない。
【００９７】
第１始動口５７は、遊技領域５０ａの中央下部（演出表示装置８０の下方）に配置されており、一般的に「ヘソ」と呼ばれる。
第１始動口５７の後方には入球した遊技球を検知する第１始動口スイッチＳＷ１が配置されている。
第１始動口５７に入球した遊技球を第１始動口スイッチＳＷ１で検知することにより、特別図柄変動ゲームを始動させる始動条件と、予め定めた数の遊技球を賞球として払い出す払出条件と、が付与される。
本実施形態において、遊技領域５０ａは、遊技球が第２流路Ｙから転動したときよりも、遊技球が第１流路Ｘから転動したときに、第１始動口５７に入球しやすくなるように、各種障害物が配置されている。つまり、第１始動口５７は、遊技領域５０ａの左側を主とする第１流路Ｘに設けられている。
【００９８】
第２始動口５９は、遊技領域５０ａの右下部（演出表示装置８０の右下側）に配置されており、第２始動口５９には普通電動役物６１が付設されている。普通電動役物６１は、第２始動口５９に遊技球が入球しやすい開放状態または入球しにくい閉鎖状態に可換に遷移する開閉部材であり、アクチュエータＡＣ１の作動により当該開放状態または当該閉鎖状態のいずれかに遷移する。なお、普通電動役物６１の制御については、後に詳述する。
第２始動口５９の後方には入球した遊技球を検知する第２始動口スイッチＳＷ２が配置されている。第２始動口５９に入球した遊技球を第２始動口スイッチＳＷ２で検知することにより、特別図柄変動ゲームの始動条件と、賞球の払出条件と、が付与される。
本実施形態において、遊技領域５０ａは、遊技球が第１流路Ｘから転動したときよりも、遊技球が第２流路Ｙから転動したときに、第２始動口５９に入球しやすくなるように、各種障害物が配置されている。つまり、第２始動口５９は、遊技領域５０ａの右側を主とする第２流路Ｙに設けられている。
【００９９】
作動ゲート６３は、第２始動口５９の上方（演出表示装置８０の右側）に配置されている。作動ゲート６３の後方には、通過した遊技球を検知する普通図柄変動スイッチＳＷ３が配設されている。作動ゲート６３は、入球した遊技球を普通図柄変動スイッチＳＷ３で検知することにより、普通図柄変動ゲームの始動条件が付与され得る。
なお、本実施形態の遊技機１０においては、普通図柄変動スイッチＳＷ３の検知は賞球の払出条件に含まれていない。すなわち、本実施形態の作動ゲート６３に遊技球が入球しても賞球はゼロである。
また、作動ゲート６３は通過した遊技球が通過後再び遊技領域５０ａを転動する、いわゆるゲートタイプの入賞口であってもよい。この場合において、作動ゲート６３を通過することも、本明細書では「入球」と称す。
【０１００】
大入賞口５５は、第２始動口５９の上方（演出表示装置８０の右下側）に配置されている。大入賞口５５の開口部は、アクチュエータＡＣ２の作動により開閉動作を行う特別電動役物６５が配置されている。大入賞口５５の後方には、入球した遊技球を検知するカウントスイッチＳＷ４が配置されている。カウントスイッチＳＷ４が大入賞口５５に入球した遊技球を検知することにより、賞球の払出条件が付与される。
また、大入賞口５６に連通した連通路（図示なし）が設けられており、この連通路には、通過した遊技球を検知するカウントスイッチＳＷ０が配置されている。なお、この連通路は、遊技球の通過経路が複数に分岐するように構成されており、通過経路を通過する遊技球を一方の通過経路から他方の通過経路へと振り分けることで、一方または他方の通過経路を開放する振分部材が設けられている。
ここでは、大当り遊技時にカウントスイッチＳＷ０が配置された通過経路が予め設定された一定時間だけ開放され、カウントスイッチＳＷ０による遊技球の検知を契機として、その時に行われている大当り遊技の終了後に確変状態が特典として付与される。
すなわち、確変状態の付与を制御している当選確率制御部１１４１が遊技球が特定の通過経路を通過することに起因して遊技者にとって有利な特典を付与する。
なお、当選確率制御部１１４１の機能については、図１４を用いて後述する。
【０１０１】
大入賞口５６は、大入賞口５５の上方（演出表示装置８０の右側）に配置されている。大入賞口５６の開口部は、アクチュエータＡＣ３の作動により開閉動作を行う特別電動役物６６が配置されている。大入賞口５６の後方には連通路（図示なし）が設けられており、連通路５８には、入球した遊技球を検知するカウントスイッチＳＷ５、カウントスイッチＳＷ０が配置されている。
カウントスイッチＳＷ５が大入賞口５６に入球した遊技球を検知することにより、賞球の払出条件が付与される。また、カウントスイッチＳＷ５、カウントスイッチＳＷ０による検知結果は、残存球エラーの報知制御に用いられる。
【０１０２】
大入賞口５５は、第１始動口５７の入球に起因する特別図柄変動ゲームで当選して行われる大当り遊技中には特別電動役物６５の開動作によって開放されて遊技球の入球が許容される。また、大入賞口５６は、第２始動口５９の入球に起因する特別図柄変動ゲームで当選して行われる大当り遊技中には特別電動役物６６の開動作によって開放されて遊技球の入球が許容される。
いずれの大当り遊技が行われる場合にも、遊技者は賞球を獲得できる機会が大幅に増大しうる。なお、本実施形態において、遊技球が第２流路Ｙから転動するときには、第１流路Ｘから転動するときよりも、大入賞口５５または大入賞口５６に入球しやすくなるように各種障害物が配置されている。
【０１０３】
普通入賞口６７（６７ａ、６７ｂ、６７ｃ）は、演出表示装置８０の左下部に配置されている。普通入賞口６７の後方には入球した遊技球を検知するカウントスイッチ（図示なし）が配置されている。普通入賞口６７に入球した遊技球をこのカウントスイッチで検知することにより、賞球の払出条件が付与され得る。
【０１０４】
アウト口６９は、遊技領域５０ａの最下部に配置されている。上述した各入賞口に入球しなかった遊技球（作動ゲート６３がゲートタイプである場合には、作動ゲート６３を通過して他の入賞口に入賞しなかった遊技球を含む）はアウト口６９に落入し、アウト球として処理される。
【０１０５】
［遊技機１０の制御構成について］
次に、図１４を用いて遊技機１０、１０ａ、１０ｂ、１０ｃ、１０ｄ、１０ｅの制御構成について説明する。なお、遊技機後述する遊技機２０、３０も同様の制御構成を備えるものとする。図１４は、遊技機１０、１０ｂにおける主要な制御構成を示す機能ブロック図である。
【０１０６】
なお、図１４で図示される各機能は上記遊技機１０、１０ｂ、および後述する遊技機２０、３０、６０、７０を説明する上で必要な機能を挙げたものであり、ここに図示しない機能を各遊技機に追加してもよい。また、遊技機１０、１０ｂ、および後述する遊技機２０、３０、６０、７０（以下総称として「遊技機１０」という）はここに図示する機能の全部を必ずしも備えなくてもよく、本発明の効果を阻害しない範囲で一部の機能が省かれても良い。
【０１０７】
遊技機１０は、図１４に図示している機能を含む種々の機能を基板と当該基板に電気的に接続している機能部品との処理によって実現する主制御基板を自機の内部に備えている。
より具体的には当該主制御基板は、制御動作を所定の手順で実行するＣＰＵと、当該ＣＰＵの制御プログラムを格納するＲＯＭ（図示せず）と、必要なデータの書き込みおよび読み出しができるＲＡＭ（図示せず）を備えている。
また、当該ＣＰＵが当該ＲＯＭから読み出した制御プログラムを実行し、ＲＡＭに種々のデータを書き込みまたは読み出すことによって種々の機能を実現することができる。
なお、図１４に図示している各種機能は、一の基板のみで実現できる機能、複数の基板の間で種々のデータ授受を行うことにより実現できる機能、基板と当該基板に非搭載の機能部品とが電気的に接続していることにより実現できる機能等が混在している。これらの各種機能を実現するためのハードウェア構成は幾通りも存在しうるものであって、必ずしも一つに限定されない。
【０１０８】
主制御基板１００は、遊技を統括的に制御する主制御部１０００を備える。主制御部１０００は、遊技の結果に影響を及ぼし、または及ぼすおそれがある機能を有する基板、いわゆる主制御基板として機能する構成要素である。
図１４に示すように、主制御部１０００は多数の機能を有し、これらの機能が互いに接続している構成となっているが、ここに図示している構成は一例であって、必ずしもこれに限るものではない。
【０１０９】
主制御部１０００が備える主な機能としては、特図抽選制御部１１３０、普図抽選制御部１１７０、遊技状態制御部１１４０、図柄表示制御部１１５０、変動パターン決定部１１１０等が挙げられる。
【０１１０】
特図抽選制御部１１３０は、特別図柄変動ゲームに関連して他の構成要素を制御する機能または大当り遊技を管理する機能を有している。
普図抽選制御部１１７０は、普通図柄変動ゲームに関連して他の構成要素を制御する機能または当り遊技を管理する機能を有している。
遊技状態制御部１１４０は、確変状態の有無や変短状態の有無を管理し、これらの付与や解除（通常状態への移行）を制御する機能を有している。
図柄表示制御部１１５０は、特別図柄変動ゲームの結果として選択された特別図柄、または普通図柄変動ゲームの結果として選択された普通図柄、を図柄表示装置９０に表示させる機能を有している。
【０１１１】
変動パターン決定部１１１０は、特別図柄変動ゲームに関連して行われる表示演出の決定に用いられる変動パターンを、選択された特別図柄に起因して決定し、決定された変動パターンを演出制御部３２０に伝達する。
演出制御部３２０は、上述のように、遊技機１０ｂ（図６）によって行われる遊技、特に特別図柄変動ゲームに関連する演出を制御する機能を有している。
【０１１２】
なお、前段および前々段にて列挙した各機能について、以下ではより詳細に説明する。
【０１１３】
［大当り判定用乱数と特図保留について］
主制御部１０００は、第１特図抽選値取得部１１１１と、第２特図抽選値取得部１１１２と、特図保留制御部１１２０と、を備える。
【０１１４】
第１特図抽選値取得部１１１１は、第１始動口５７に遊技球が入賞して取得された抽選値を保留記憶しておく。第２特図抽選値取得部１１１２は、第２始動口５９に遊技球が入賞して取得された抽選値を保留記憶しておく。
特図選択部１１３２は、第２特図抽選値取得部１１１２に抽選値が保留記憶されている場合、第１特図抽選値取得部１１１１に抽選値が保留記憶されているか否かに拘らず、第２特図抽選値取得部１１１２に保留記憶された抽選値に基づいて当否抽選を行うことができる。
【０１１５】
より具体的には、第１特図抽選値取得部１１１１は、第１始動口スイッチＳＷ１によって第１始動口５７の入賞が検知されると、特別図柄変動ゲームの抽選値として用いられる大当り判定用乱数を取得し、専用の記憶領域に格納（保留記憶）する。第１特図抽選値取得部１１１１が保留記憶可能な抽選値の上限数は予め定められており、本実施形態において当該上限数は４個とする。
【０１１６】
第２特図抽選値取得部１１１２は、第２始動口スイッチＳＷ２によって第２始動口５９の入賞が検知されると、特別図柄変動ゲームの抽選値として用いられる大当り判定用乱数を取得し、専用の記憶領域に格納（保留記憶）する。第２特図抽選値取得部１１１２が保留記憶可能な抽選値の上限数は予め定められており、本実施形態において当該上限数は４個とする。
【０１１７】
特図保留制御部１１２０は、特図抽選制御部１１３０が特別図柄変動ゲームに係る制御または大当り遊技に係る制御を行っていないとき、所定の周期で第１特図抽選値取得部１１１１または第２特図抽選値取得部１１１２によって保留記憶されている抽選値（大当り判定用乱数）を読み出す。第１特図抽選値取得部１１１１と第２特図抽選値取得部１１１２が共に一つ以上の抽選値を保留記憶している場合については、特図保留制御部１１２０は第２特図抽選値取得部１１１２によって保留記憶されている抽選値を優先的に読み出すことができる。
【０１１８】
大当り抽選部１１３１は、特図保留制御部１１２０によって読み出された抽選値を用いて大当り抽選を実行するので、結果的に第１特図抽選値取得部１１１１に保留記憶されている抽選値より、第２特図抽選値取得部１１１２に保留記憶されている抽選値を優先的に処理することになる。
【０１１９】
ここで乱数とは、無秩序でかつ全体として出現頻度が等しい数の系列を指す。本実施形態の遊技機１０が稼働しているときに自機内部で常に乱数が生成されており、当該乱数は用いて種々の抽選処理に用いられている。乱数の生成方式については、専用ＩＣにより生成する方式（ハードウェア方式）、専用のプログラムにより生成する方式（ソフトウェア方式）、あるいはこれらの組み合わせによって生成する方式がある。本実施形態では既述の大当り判定用乱数を含めて数種の乱数を用いるが、これらの生成は上に上げた方式のいずれを用いても構わない。
【０１２０】
特図保留制御部１１２０は第１特図抽選値取得部１１１１または第２特図抽選値取得部１１１２に保留格納されている抽選値の数をそれぞれについて監視している。また、特図保留制御部１１２０は、監視している抽選値の数を、図柄表示装置９０に表示させるように図柄表示制御部１１５０に指令を出してもよいし、演出表示装置８０に表示させるように演出制御部３２０に指令を出してもよい。
【０１２１】
［大当り抽選と大当り遊技について］
特図抽選制御部１１３０は大当り抽選と大当り遊技を司る機能であり、大当り抽選部１１３１と特図選択部１１３２と大当り遊技制御部１１３３とを有している。
【０１２２】
大当り抽選部１１３１は、第１始動口５７または第２始動口５９への遊技球の入賞を契機として取得された抽選値（大当り判定用乱数）を用いて大当りの当否抽選を行う。なお、大当り抽選部１１３１によって行われる抽選の当選確率は、通常状態であるときは確変状態であるときより低くなっており、確変状態であるときは通常状態であるときより高くなっている。
ここで「入賞を契機として所定の処理を行う」とは、入賞を検知することを一つの条件として、その後に当該所定の処理が実行されうることをいう。すなわち、入賞が検知されたとしても、必ずしも当該所定の処理が実行されなくてもよい。例えば、本実施形態においては、第１特図抽選値取得部１１１１の抽選値保留数が上限を超えた場合に第１始動口スイッチＳＷ１によって検知された入賞、あるいは第２特図抽選値取得部１１１２の抽選値保留数が上限を超えた場合に第２始動口スイッチＳＷ２によって検知された入賞は、特別図柄変動ゲームの始動条件にはならない。
【０１２３】
特図選択部１１３２は、大当り抽選部１１３１による当否抽選の結果に基づいて特別図柄を選択し、選択された特別図柄を図柄表示制御部１１５０（第１特図表示制御部１１５１または第２特図表示制御部１１５２）に伝達して特別図柄表示装置９１（第１特別図柄表示装置９１ａまたは第２特別図柄表示装置９１ｂ）を表示させる。
ここでいう選択とは、当否抽選に用いられた抽選値と、予め用意されている特別図柄の種類が同数であって"選択"をせずに一意に"決定"される場合も含む。
【０１２４】
本実施形態における大当り遊技は、大当り遊技制御部１１３３により制御される。
まず、大当り抽選部１１３１による当否抽選で大当りに当選し、特別図柄表示装置９１に表示される特別図柄変動ゲームで特図選択部１１３２により選択された大当り図柄が停止表示された後、大当り遊技は開始される。
大当り遊技が開始される前に、大当り遊技制御部１１３３は特図保留制御部１１２０や普図保留制御部１１６０等に指令を出し、大当り抽選に関する処理または当り抽選に関する処理を、大当り遊技中については一時停止させる旨の指令を出す。
大当り遊技が開始すると、大当り遊技制御部１１３３は演出制御部３２０に大当り遊技の開始を示すオープニング演出に関する指令を出す。演出制御部３２０は大当り遊技制御部１１３３の指令に従い所定時間（オープニング時間）にわたってオープニング演出を実行する。
オープニング演出の終了後には、大入賞口５５または大入賞口５６が開放されるラウンド遊技が予め定めた規定回数（ラウンド数）を上限として複数回行われる。１回のラウンド遊技は、大入賞口５５または大入賞口５６の開閉が所定回数（開閉回数）行われる迄であり、１回のラウンド遊技中に大入賞口５５または大入賞口５６に規定個数（入賞上限数）の遊技球が入賞する迄の間、または規定時間（ラウンド遊技時間）が経過するまでの間、開放される。ラウンド遊技では、ラウンド演出が行われる。
【０１２５】
ラウンド遊技の終了後には、大入賞口５５または大入賞口５６が所定の時間（インターバル時間）だけ閉鎖され、次のラウンド遊技の開始と共に再び大入賞口５５または大入賞口５６が開放される。
【０１２６】
大当り遊技制御部１１３３は、大入賞口５５または大入賞口５６を開放させるために、ラウンド数・開閉回数・入賞上限数・ラウンド遊技時間・インターバル時間等を制御情報として含む指令を特別電役制御部１１９０に伝送する。
【０１２７】
特別電役制御部１１９０は、大当り遊技制御部１１３３から受けた指令に従って、アクチュエータＡＣ２またはアクチュエータＡＣ３を作動させて特別電動役物６５または特別電動役物６６を開放させる。また、特別電役制御部１１９０は、特別電動役物６５または特別電動役物６６を開放させている間、１回のラウンド遊技中に大入賞口５５または大入賞口５６に入賞した遊技球の個数をカウントスイッチＳＷ４またはカウントスイッチＳＷ５の検知に基づいて監視しており、入賞上限数に達したとき、アクチュエータＡＣ２またはアクチュエータＡＣ３を作動させて特別電動役物６５または特別電動役物６６を閉鎖させる。
【０１２８】
大当り遊技制御部１１３３は、演出制御部３２０にラウンド遊技中に係る演出に関する指令を出す。演出制御部３２０は大当り遊技制御部１１３３の指令に従ってラウンド演出を実行する。
規定ラウンド数のラウンド遊技が終了すると、大当り遊技制御部１１３３は演出制御部３２０に大当り遊技の終了を示すエンディング演出に関する指令を出す。演出制御部３２０は大当り遊技制御部１１３３の指令に従い所定時間（エンディング時間）にわたってエンディング演出を実行し、大当り遊技は終了される。
なお、本実施形態の大当り遊技においては、遊技球が第２流路Ｙを転動する方が大入賞口５５に入賞し易いため、いわゆる右打ちの方が遊技者にとって有利である。
【０１２９】
［遊技状態の制御について］
遊技状態制御部１１４０は遊技状態を制御する機能であり、当選確率制御部１１４１と変短制御部１１４２とを有している。
【０１３０】
当選確率制御部１１４１にはカウントスイッチＳＷ０による検知が伝達され、当選確率制御部１１４１は当該検知を契機として確変状態を付与する。
すなわち、カウントスイッチＳＷ０が配置された通過経路が一定時間開放される大当り遊技の終了時に、当該大当り遊技の開始から終了までにカウントスイッチＳＷ０による検知が発生したか否かを判定し、当該検知が発生した場合には、当選確率制御部１１４１は確変状態を付与する。
変短制御部１１４２は、大当り遊技制御部１１３３によって実行されるすべての大当り遊技の終了を契機として変短状態を付与する。
【０１３１】
［当り抽選と当り遊技について］
遊技機１０は、普図抽選値取得部１１１３と普図保留制御部１１６０を備える。
普図抽選値取得部１１１３は、普通図柄変動スイッチＳＷ３によって作動ゲート６３の入賞が検知されると、普通図柄変動ゲームの抽選値として用いられる当り判定用乱数を取得し、専用の記憶領域に格納（保留記憶）する。普図抽選値取得部１１１３が保留できる抽選値の上限数は予め定められており、本実施形態において当該上限数は４個とする。
普図保留制御部１１６０は、普図抽選制御部１１７０が普通図柄変動ゲームに係る制御または当り遊技に係る制御を行っていないとき、所定の周期で普図抽選値取得部１１１３によって保留記憶されている抽選値（当り判定用乱数）を読み出す。
【０１３２】
普図保留制御部１１６０は普図抽選値取得部１１１３に保留格納されている抽選値の数を監視している。また、普図保留制御部１１６０は、監視している抽選値の数を、図柄表示装置９０に表示させるように図柄表示制御部１１５０に指令を出してもよいし、演出表示装置８０に表示させるように演出制御部３２０に指令を出してもよい。
【０１３３】
遊技機１０は、普図抽選制御部１１７０と普通電役制御部１１８０を備える。普図抽選制御部１１７０は当り抽選と当り遊技を司る機能であり、当り抽選部１１７１と普図選択部１１７２と当り遊技制御部１１７３とを有する。
【０１３４】
当り抽選部１１７１は、普図保留制御部１１６０によって普図抽選値取得部１１１３から読み出された当り判定用乱数を用いて、普通電動役物６１を開放状態に遷移させるか否かの開放抽選を行う。なお、当り抽選部１１７１によって行われる抽選の当選確率は、通常状態であるときは変短状態であるときより低くなっており、変短状態であるときは通常状態であるときより高くなっている。
【０１３５】
普図選択部１１７２は、当り抽選部１１７１による開放抽選の当否結果に基づいて普通図柄を選択し、選択された普通図柄を図柄表示制御部１１５０（普図表示制御部１１５３）に伝達して普通図柄表示装置９２に表示させる。普通図柄表示装置９２に対応している二つのＬＥＤは一方が当り、一方がはずれに対応しており、普図表示制御部１１５３は普図選択部１１７２が選択した普通図柄に従っていずれか一方を発光させる。
なお、ここでいう選択とは、特図選択部１１３２による選択と同様に、開放抽選に用いられた抽選値と、予め用意されている特別図柄の種類が同数であって"選択"をせずに一意に"決定"される場合も含まれる。
【０１３６】
当り遊技制御部１１７３は、当り抽選部１１７１による当り抽選に当選したとき、普通電役制御部１１８０に指令を伝達し、アクチュエータＡＣ１を作動させて所定の開放条件で普通電動役物６１を開放させる。
普通電役制御部１１８０は、変短状態では開放状態の単位時間または開放回数を増加するように普通電動役物６１を制御する。
【０１３７】
［演出制御について］
次に、上記実施形態６としての遊技機１０ｂにおける演出制御基板３００について説明する。演出制御基板３００は、遊技に関連する演出に用いられる出力手段に対して制御信号を送ることにより、出力手段による演出動作を駆動する制御を行う。
また、出力手段としては、上述のように、演出表示装置（液晶表示装置）８０、スピーカ３３、ＬＥＤなどの照明装置３５、可動式役物（図示なし）等が挙げられる。また、出力手段としては、演出表示装置、スピーカ、装飾ランプなどが設けられた基板（非制御基板）や、演出用の可動式役物を駆動する演出用アクチュエータなども含まれる。
【０１３８】
また、演出制御基板３００は、演出表示装置８０、照明装置３５、スピーカ３３における動作を制御する演出制御部３２０を有する。より詳細には、演出制御部３２０は、主制御部１０００の特図選択部１１３２によって選択された特別図柄、変動パターン決定部１１１０によって決定された変動パターン、またはボタン３７で受け付けた遊技者の操作等に基づいて各種演出を実行する。演出制御部３２０はボタン３７から受け付けた遊技者の操作に応じて演出を可変に切り替えてもよい。また、演出制御部３２０は演出アクチュエータ３８を演出表示装置８０周縁に設けられた可動式役物（いわゆる演出ギミック）の動作を制御してもよい。
【０１３９】
ここで、主制御部１０００の変動パターン決定部１１１０は、特図保留制御部１１２０・特図抽選制御部１１３０・遊技状態制御部１１４０、普図保留制御部１１６０、普図抽選制御部１１７０と接続しており、これらの機能から信号（データ）を得ることにより、主制御部１０００による遊技制御に適った変動パターンを生成することができる。変動パターンには、演出図柄が変動表示を開始してから終了（停止表示）するまでの時間等が規定されている。
【０１４０】
また、演出制御部３２０は、特図選択部１１３２によって選択された特別図柄や変動パターン決定部１１１０によって決定された変動パターンを用いて演出図柄の変動演出（例えば、リーチ演出等）やその他演出の演出態様を決定し、決定された演出を演出表示装置８０、照明装置３５またはスピーカ３３に実行させる。
なお、本実施形態における演出制御部３２０は、特図選択部１１３２によって選択された特別図柄を、変動パターン決定部１１１０を介して取得しているものとする。
演出制御部３２０によって決定される演出態様には、演出表示装置８０における図柄変動演出の発展態様の他に、演出表示装置８０に表示される背景や色彩、スピーカ３３により音声出力される演出音（音楽）、照明装置３５の発光色や発光強度、ボタン３７の操作を受け付けるタイミング等が含まれうる。
【０１４１】
［実施形態７］
次に、実施形態７として、上述の実施形態３（図３）に対応した、より具体的な実施形態である遊技機２０について、図７、９、１３、１４を用いて説明する。図７は、遊技機３０の内部回路構成を示す概略説明図である。
実施形態７の遊技機２０は、各入賞口に入球した遊技球を検知するカウントスイッチＳＷ０、第１始動口５７に入球した遊技球を検知する第１始動口スイッチＳＷ１、第２始動口５９に入球した遊技球を検知する第２始動口スイッチＳＷ２、作動ゲート６３を通過した遊技球を検知する普通図柄変動スイッチＳＷ３、大入賞口５５に入球した遊技球を検知するカウントスイッチＳＷ４、連通路（図示なし）に入球した遊技球を検知するＳＷ５を備えているものとする。
【０１４２】
また、実施形態７では、カウントスイッチＳＷ０、ＳＷ４、ＳＷ５、第１始動口スイッチＳＷ１、第２始動口スイッチＳＷ２、および普通図柄変動スイッチＳＷ３を、総称として「各種スイッチ」という。また、実施形態７では、上記のカウントスイッチＳＷ０、ＳＷ４、ＳＷ５のいずれかであるカウントスイッチ４２０を備えているものとする。
【０１４３】
以下、カウントスイッチ４２０を備えた構成である遊技機２０について、図７に基づき説明する。ここで、遊技機２０は、図４、５と同様に、主制御基板１００およびカウントスイッチ４２０の間に中継端子板２００を備えている。
【０１４４】
遊技機２０は、始動口や大入賞口等への入球を検出して検知信号（制御信号に相当）を出力するカウントスイッチ４２０と、このカウントスイッチ４２０に対して電源供給（電力供給に相当）を行うと共に、カウントスイッチ４２０からの検知信号を取得する主制御基板１００と、上記電源供給および検知信号の中継を行う電力線（図２の２５１に対応）の一部である電力線部２６２と制御信号中継線（図２の制御信号中継線２５５に対応）の一部としての制御信号中継線部２６４を備えた中継端子板２００を有する。
【０１４５】
カウントスイッチ４２０は、主制御基板１００からの電源供給により駆動する。また、カウントスイッチ４２０は、遊技球が自己の開口部４２２を通過した場合に、これを検出し制御信号に相当する検知信号を出力する検出信号出力部４２４を備えている。
なお、カウントスイッチ４２０は、主制御基板１００の内部以外に設けられた電力供給部（給電部）からの電力供給を受け、これにより駆動する構成であってもよい。
【０１４６】
なお、実施形態７では、カウントスイッチ４２０（検出信号出力部４２４）から出力された検知信号は、検出信号出力部４２４の（−）端子に接続された伝送線３８３、中継端子板２００の制御信号中継端子２８６、制御信号中継線部２６４、制御信号中継端子２１６、および伝送線１８３を介して送られ、制御信号ポート１０６から主制御基板１００に入力される。
また、上記の、検出信号出力部４２４の（−）端子に接続された伝送線３８３、中継端子板２００の制御信号中継端子２８６、制御信号中継線部２６４、制御信号中継端子２１６、および伝送線１８３を制御信号中継線２５５とする。
また、電力ポート１０２から伝送線１８１、電力中継端子２１２、電力線部２６２、電力中継端子２８２、伝送線３８１、そして、カウントスイッチ４２０の検出信号出力部４２４の（＋）端子までを電力線２５１とする。
【０１４７】
実施形態７における主制御基板１００は、電力線２５１を介してカウントスイッチ４２０に対して定電圧の電源供給（電力供給に相当）を行う。
中継端子板２００は、電力線２５１の一部である電力線部２６２と、制御信号中継線２５５の一部である制御信号中継線部２６４と、電力線部２６２における分岐点２７１で分岐して制御信号中継端子２１４の内端子に接続されている分岐電力線部２６６と、電力線部２６２における分岐点２７３で分岐して制御信号中継端子２１８の内端子に接続されている分岐電力線部２６８と、を備えている。
なお、電力線部２６２、制御信号中継線部２６４、分岐電力線部２６６、および分岐電力線部２６８は、それぞれ中継端子板２００上に配設されたプリントパターンとする。
【０１４８】
また、本実施形態７の主制御基板１００の制御信号ポート１０８（第１ポート）および制御信号ポート１０４（第２ポート）はそれぞれ中継端子板２００を介してカウントスイッチ４２０（動作部４００）から送られた検知信号（制御信号）が入力される入力ポートであり、制御信号ポート１０８（第１ポート）と制御信号中継端子２１８（第１端子）、制御信号ポート１０４（第２ポート）と制御信号中継端子２１４（第２端子）がそれぞれ伝送線１８７、１８５（信号線）で接続されている。
【０１４９】
ここで、中継端子板２００は、主制御基板１００の制御信号ポート１０４、１０６、および１０８それぞれに伝送線１８５、１８３、および１８７を介して接続された異なる複数の制御信号中継端子２１４、２１６、および２１８を備えている。また、中継端子板２００は、主制御基板１００の電力ポート１０２に伝送線１８１を介して接続された電力中継端子２１２を備えている。
ここで、主制御基板１００は、制御信号ポート１０４、１０６、１０８、および電力ポート１０２から成る基板ポート群１０１を備え、中継端子板２００は、制御信号中継端子２１４、２１６、２１８、および電力中継端子２１２から成る中継基板端子群２０１を有するものとする。
【０１５０】
ここで、主制御基板１００からカウントスイッチ４２０に対する電力供給は、電力ポート１０２から伝送線１８１、電力中継端子２１２、電力線部２６２、電力中継端子２８２、伝送線３８１を介して行われ、カウントスイッチ４２０の検出信号出力部４２４の（＋）端子に定電位が印加される。
また、中継端子板２００の分岐電力線部２６６、２６８それぞれには抵抗素子Ｒ２４１、Ｒ２４２が設けられており、制御信号中継端子２１８（第１端子）または制御信号中継端子２１４（第２端子）のいずれか一方、または両方に対して印加される電力電位が接続異常検出部１０５内における予め設定された基準電位より高くなるように上記抵抗素子Ｒ２４１、Ｒ２４３それぞれの抵抗値が設定されているものとする。
【０１５１】
ここで、中継端子板２００の分岐電力線部２６６、２６８には電力線部２６２と同電位の電圧が印加されている。このため、分岐電力線部２６６における抵抗素子Ｒ２４１より制御信号中継端子２１４側の部分に印加される電圧電位が、制御信号ポート１０４から接続異常検出部１０５に印加され、分岐電力線部２６８における抵抗素子Ｒ２４３より制御信号中継端子２１８側の部分に印加される電圧電位が、制御信号ポート１０８から接続異常検出部１０５に印加される。なお、図７に示すように、制御信号中継端子２１４は伝送線１８５を介して制御信号ポート１０４に接続され、制御信号中継端子２１８は伝送線１８７を介して制御信号ポート１０８に接続されている。
【０１５２】
これにより、分岐電力線部２６６、２６８を介して接続異常検出部１０５に印加される電力電位を適正に制御することが可能となる。また、接続異常検出部１０５は、カウントスイッチ４２０などの動作部から送られた制御信号（検知信号など）を受信し、各制御信号に対する予め設定された処理を行う。
【０１５３】
また、接続異常検出部１０５は、制御信号ポート１０４、１０６、１０８から入力された制御信号や印加された電圧と予め設定された基準電位とを比較する比較器１３５、１３１、１３３を備えており、分岐電力線部２６６、２６８に上記抵抗素子Ｒ２４１、Ｒ２４３を備えることにより、比較器１３５、１３１、１３３における論理固定がなされ、このため、接続異常検出部１０５内における電位環境の安定化を図ることができる。
ここで、接続異常検出部１０５は、基板ポート群１０１における両端ポートである制御信号ポート１０４、１０８から印加された電力電位変化の検出を行う。また、接続異常検出部１０５では、基板ポート群１０１と中継基板端子群２０１との接続箇所であるコネクタの両端部分、また、この両端部分同士を接続する伝送線１８５、１８７における断線、配線抜けなどを検出することができる。このため、図１１に示すような、複数端子（ポート）を有するコネクタにおける斜め差しなどの接続異常を迅速かつ正確に検出することが可能となる。なお、接続異常検出部１０５の内部構成については後述する。
【０１５４】
以上のように、実施形態７である遊技機２０では、分岐電力線の一部である分岐電力線部２６６、２６８は、電力線部２６２から分岐された副次的な信号線である。
このため、接続異常検出部１０５が分岐電力線部２６６、２６８を介して印加される電圧電位の変化を検出することによって、本線である制御信号線や電力線（図２の電力線２５１に対応）を介して伝送される制御信号（検出信号などを含む）や電力供給に対して影響を与えることなく、制御信号中継線または電力線に生じた断線、配線などの接続異常を迅速に検出することができる。
【０１５５】
また、遊技機２０では、遊技機機種の構成変更等に伴い中継基板端子群２０１内に、あるいは、基板ポート群１０１内に発生し得る未使用状態の空き端子（空きポート）を、主制御基板１００および中継端子板２００間における接続配線抜けや断線などの接続異常検出用に利用することができ、それと同時に中継基板端子群２０１内、または、基板ポート群１０１に空きポート（空き端子）が発生するのを抑止することも可能となる。
【０１５６】
［遊技機２０の空きポートについて］
ここで、実施形態７の空きポートについて、図７、９、１４に基づき説明する。図７は、実施形態７である遊技機２０における信号回路を示す説明図である。また、図９は、旧機種である遊技機６０における信号回路を示す説明図である。
なお、図９における主制御基板１００およびカウントスイッチ４２０は、実施形態７（図７）と同一であり、カウントスイッチ４２０とカウントスイッチ４４０とは同型のカウントスイッチとする。また、普通図柄変動スイッチ４６０は、遊技機６０内で主制御基板１００に接続して設けられた動作部であり、上記の普通図柄変動スイッチＳＷ３（図１４）に相当する。
【０１５７】
遊技機６０は、図９に示すように、大入賞口等への遊技球の入賞を検出して検知信号を出力するカウントスイッチ４２０、４４０と、作動ゲート６３を通過した遊技球を検知する普通図柄変動スイッチ４６０（ＳＷ３に対応：図１４）を備えている。また、カウントスイッチ４２０、４４０、普通図柄変動スイッチ４６０と主制御基板１００との間に中継端子板２０７（図７の中継端子板２００に対応）が設けられた構成を有する。
【０１５８】
カウントスイッチ４２０、４４０、普通図柄変動スイッチ４６０はそれぞれ主制御基板１００からの電源供給により駆動する。なお、カウントスイッチ４４０は、カウントスイッチ４２０と同等の構成を有し、自己の開口部４４２を通過する遊技球の個数を計数する。また、カウントスイッチ４４０は遊技球が開口部４４２を通過した場合に、これを検出し制御信号に相当する検知信号（出力信号）を出力する検知信号出力部４４４を備えている。
【０１５９】
また、カウントスイッチ４２０は中継端子板２０７（図７の中継端子板２００に対応）上に設けられた電力中継端子２８２、制御信号中継端子２８６に対して伝送線３８１、３８３を介して接続され、カウントスイッチ４４０は中継端子板２０７の電力中継端子２８８、制御信号中継端子２８１に対して伝送線３８５、３８７を介して接続され、普通図柄変動スイッチ４６０は中継端子板２０７の電力中継端子２８３、制御信号中継端子２８５に対して伝送線３８９、３８２を介して接続されている。
【０１６０】
中継端子板２０７は、主制御基板１００の基板ポート群１０１に対向した側に、異なる複数の制御信号中継端子２１４、２１６、２１８と電力中継端子２１２とが設けられている。
ここで、電力中継端子２１２、および制御信号中継端子２１４、２１６、２１８はそれぞれ主制御基板１００の基板ポート群１０１に対して信号線（異なる伝送線を含む）を介して接続された中継基板端子群２０１を形成している。ここで、中継基板端子群２０１内の両端の端子は制御信号中継端子２１４と２１８であり、制御信号中継端子２１４、電力中継端子２１２、制御信号中継端子、２１６、２１８の順で並んでいる。
【０１６１】
また、制御信号中継端子２１４、２１６、２１８、２８６、２８１、２８５と電力中継端子２１２、２８２、２８８、２８３はそれぞれ中継端子板２０７上に配設されたプリントパターンに接続される内端子と中継端子板２０８の外部の機器や基板と伝送線（コネクタ）を介して接続される外端子を有する。
ここで、制御信号中継端子２１４、２１６、２１８の外端子は、伝送線１８５、１８３、１８７を介してそれぞれ制御信号ポート１０４、１０６、１０８に接続され、電力中継端子２１２の外端子は伝送線１８１を介して電力ポート１０２に接続されている。
【０１６２】
また、中継端子板２０７は、上記制御信号中継線（例えば、図１の制御信号中継線２５５に対応）の一部として中継端子板２０７上に形成されたプリントパターンである制御信号中継線部２６４、２７８、２９１を備えている。
ここで、制御信号中継線部２６４は制御信号中継端子２１６の内端子と信号中継端子２８６の内端子に接続され、制御信号中継線部２７８は制御信号中継端子２１８の内端子と制御信号中継端子２８１の内端子に接続され、制御信号中継線部２９１は制御信号中継端子２１４の内端子と制御信号中継端子２８５の内端子に接続されている。
また、中継端子板２０７は、電力線２５１の一部として中継端子板２０７上に形成されたプリントパターンとしての電力線部２６２と、この電力線部２６２の分岐点２６２ａで分岐されたプリントパターンである分岐電力線部２７９と、この分岐電力線部２７９から分岐して電力中継端子２８８の内端子に接続した分岐電力線部２６３を備えている。
【０１６３】
なお、主制御基板１００からカウントスイッチ４２０への電力供給を中継伝送する電力線（例えば、図１の電力線２５１に対応）は、電力ポート１０２、伝送線１８１、電力中継端子２１２、電力線部２６２、電力中継端子２８２、および伝送線３８１から成る。また、主制御基板１００からカウントスイッチ４４０への電流供給を中継伝送する電力中継線（例えば、図１の電力線２５１に対応）は、電力ポート１０２、伝送線１８１、電力中継端子２１２、電力線部２６２における電力中継端子２１２から分岐点２６２ａ、分岐点２６２ａから電力中継端子２６３、電力中継端子２８８、および伝送線３８５から成る。主制御基板１００から普通図柄変動スイッチ４６０への電力供給を中継伝送する電力線（例えば、図１の２５１に対応）は、電力ポート１０２、伝送線１８１、電力中継端子２１２、電力線部２６２、電力線部２６２の分岐点２６２ａから分岐電力線部２７９、電力中継端子２８３、および伝送線３８９から成る。
なお、主制御基板１００からカウントスイッチ４２０、４４０、普通図柄変動スイッチ４６０に対して行われる電力供給（電流供給）を中継する電力線はスイッチコモンであり、例えば、図１における電力線２５１に相当する。
【０１６４】
ここで、旧機種である遊技機６０から新機種としての遊技機２０への機種変更が行われる場合について説明する。ここでは、この機種変更に伴い、例えば、遊技機２０では、カウントスイッチ４４０、普通図柄変動スイッチ４６０が取り外されるものとする。
【０１６５】
このとき、使用されないカウントスイッチ４４０、普通図柄変動スイッチ４６０に接続されていた制御信号中継線の一部である、主制御基板１００の制御信号ポート１０４、１０８が未使用状態となる。また、この場合、新機種である遊技機２０の中継端子板２００では、制御信号ポート１０４、１０８に伝送線を介して接続された制御信号中継端子２１４、２１８の内端子が未使用状態の空き端子になる。
【０１６６】
このため、実施形態７の遊技機２０では、図７に示すように、制御信号中継端子２１４、２１８の内端子に対して、電力線部２６２から分岐された分岐電力線部２６６、２６８がそれぞれ接続された構成とし、これにより、制御信号ポート１０４、１０６には、電力線部２６２から分岐された電圧が印加される。
これにより、接続異常検出部１０５では、制御信号ポート１０４、１０６それぞれに印加される電圧電位を監視して、図７における基板ポート群１０１および中継基板端子群２０１の接続における接続異常の検出を行うことが可能となる。
【０１６７】
ここで、遊技機２０では、電力線部２６２（電力中継線）から分岐した異なる分岐電力線部２６６（第２分岐部）と、分岐電力線部２６８（第１分岐部）が少なくとも制御信号中継端子２１４（第１端子）と制御信号中継端子２１８（第２端子）とに接続されている。また、主制御基板１００の制御信号ポートのいずれかに接続された、中継基板端子群２０１における空き端子がある場合には、この空き端子に対して電力線部２６２（電力中継線）から、分岐電力線部２６６、２６８とは別に分岐した異なる分岐電力線部（図示なし）が接続される構成であってもよい。
【０１６８】
［実施形態７における主制御基板１００の構成］
次に、実施形態７である遊技機２０と、遊技機２０に対する旧機種としての遊技機６０とが備えた主制御基板１００の内部構成について、図７、図９を用いて説明する。
【０１６９】
図７は、遊技機２０における主制御基板１００の内部構成を含む概略構成図である。図９は、遊技機６０における主制御基板１００の内部構成を含む概略構成図である。
遊技機２０の主制御基板１００は、図７に示すように、電力線を介して動作部に対する電源供給（ここでは、１２ボルトとする）を行う電力供給部１２２を備えている。なお、遊技機２０（図７）では、主制御基板１００に対して電力線を介して接続されたカウントスイッチ４２０に対して、また、遊技機６０（図９）では、主制御基板１００に対して並列に接続されたカウントスイッチ４２０、４４０、普通図柄変動スイッチ４６０に対して電源供給が行われる。
【０１７０】
ここで、遊技機２０における主制御基板１００の接続異常検出部１０５について、図７に基づき説明する。
ここでは、カウントスイッチ４２０（動作部）に電力線（電力中継線）を介して定電位が印加され、分岐電力線（第１分岐部）および分岐電力線（第２分岐部）がそれぞれ電力線（電力中継線）から分岐されている場合に、主制御基板１００の接続異常検出部１０５は第１ポートおよび第２ポートに印加される電圧電位の監視を行う。
また、中継端子板２００における分岐電力線部２６８（第１分岐部の一部）および分岐電力線部２６６（第２分岐部の一部）それぞれに抵抗素子Ｒ２４２、Ｒ２４１が設けられている。ここで、制御信号中継端子２１８（第１端子）または制御信号中継端子２１４（第２端子）のいずれか一方、または両方に印加された電圧電位が接続異常検出部１０５における基準電位より高くなるように、抵抗素子Ｒ２４２、Ｒ２４１それぞれの抵抗値が設定されている。
【０１７１】
接続異常検出部１０５は、図７に示すように、（＋）端子と（−）端子に印加された２つの電圧電位を比較して、その比較結果としての論理値（１か０（ＨかＬ））を出力する比較器１３１、１３３、１３５を備えている。ここで、比較器１３３の（−）端子は制御信号ポート１０８に、比較器１３５の（−）端子は制御信号ポート１０４に接続されている。
ここで、遊技機２０の主制御基板１００の内部構成は、比較器１３３または比較器１３５に印加される電圧電位に基づき制御信号ポート１０４または１０８に接続された、分岐電力線２５７または２５９における接続異常を検知する接続異常検出部１０５（図１〜５の接続異常検出部１０５に対応）が含まれる。
【０１７２】
ここで、遊技機２０における主制御基板１００の有する比較器１３１、１３３、１３５それぞれにおける（＋）端子には電力供給部１２２からの定電圧が印加されている。ここで、比較器１３１、１３３、１３５それぞれにおける（＋）端子に印加されている電圧電位を接続異常検出部１０５における基準電位とする。
【０１７３】
また、比較器１３１、１３３、１３５の出力端子はそれぞれプリントパターン（出力ラインという）を介してＣＰＵ１５０に接続されている。
ＣＰＵ１５０は、比較器１３１、１３３、１３５からの出力（論理値）の変動を検出する。なお、比較器１３１の出力ラインには抵抗素子Ｒ１５１を、比較器１３３の出力ラインには抵抗素子Ｒ１５３を、そして、比較器１３５の出力ラインには抵抗素子Ｒ１５５を介して電力供給部１３９が並列に接続されており、電力供給部１３９は各出力ラインに５Ｖの電圧印加を行っている。
【０１７４】
なお、電力供給部１２２に接続された電力線は分岐され、一方の分岐線に直列に接続された抵抗素子Ｒ１４５、Ｒ１４７を介してグランド１４９に接続され、他方の分岐線は電力ポート１０２の内端子に接続されている。また、上記一方の分岐線は、直列に接続された抵抗素子Ｒ１４５とＲ１４７の間でさらに分岐して比較器１３１、１３３、１３５それぞれの（＋）側端子に並列に接続されている。
【０１７５】
ここで、比較器１３３、１３５それぞれの（＋）端子には電力供給部１２２から一定の電圧（定電圧）が印加されている。この一定の電圧電位は、アースに接続した抵抗素子Ｒ１４５と抵抗素子Ｒ１４７の影響で降下された電圧電位（上記の接続異常検出部１０５内における予め設定された基準電位に対応）である。
また、比較器１３３、１３５それぞれの（−）端子には制御信号ポート１０４、１０６を介して定電圧が印加されている。この定電圧電位は、分岐電力線部２６６、２６８からそれぞれ制御信号ポート１０４、１０６を介して比較器１３３、１３５それぞれの（−）端子に印加されている。
【０１７６】
なお、この定電圧電位は、分岐電力線部２６６、２６８上の抵抗素子Ｒ２４１、Ｒ２４３より制御信号中継端子２１４、２１８側の部分に印加されている電圧電位と同等の電圧電位であり、基準電位より高いものとする。
このため、通常時、比較器１３３、１３５からは、（−）に印加されている電圧電位より（＋）に印加されている電圧電位の方が低いことを示す論理値（０：Ｌｏｗ）が出力されている。
【０１７７】
ここで、接続異常検出部１０５は、比較器１３３の（−）端子と制御信号ポート１０８を接続する信号伝送線部１７１と、比較器１３５の（−）端子と制御信号ポート１０４を接続する信号伝送線部１７５とを備えている。
また、信号伝送線部１７１には、分岐してアース１２６に接続される分岐伝送線部１７３が設けられており、この分岐伝送線部１７３には抵抗素子Ｒ１４１が設けられている。
また、信号伝送線部１７５には、分岐してアース１２８に接続される分岐伝送線部１７７が設けられており、この分岐伝送線部１７７には抵抗素子Ｒ１４３が設けられている。
ここで、抵抗素子Ｒ１４１の抵抗値は、抵抗素子Ｒ２４２の抵抗値よりも十分に大きく、抵抗素子Ｒ１４３の抵抗値は、抵抗素子Ｒ２４１の抵抗値よりも十分に大きいものとする。
【０１７８】
これにより、信号伝送線部１７１に流れる電流が抵抗素子Ｒ１４１（アース１２６）側には流れにくくなるため、比較器１３３の（−）端子に印加される電圧レベルを基準電位よりも高い電位に維持することができる。また、信号伝送線部１７５に流れる電流が抵抗素子Ｒ１４３（アース１２８）側には流れにくくなるため、比較器１３５の（−）端子に印加される電圧レベルを基準電位よりも高い電位に維持することができる。
【０１７９】
ここで、比較器１３３に接続している制御信号ポート１０８および分岐線（図３の２５７に相当）、または、比較器１３５に接続している制御信号ポート１０４および分岐線（図３の２５７に相当）で接続異常が生じた場合、接続異常が生じた分岐線に接続された比較器１３３または比較器１３５の（−）端子に印加される電圧電位が０となる。
このとき、当該比較器１３３または比較器１３５では、（＋）端子に印加されている電圧電位（基準電位）が、（−）端子に印加された電圧電位（０）を上回るため、出力される論理値が０（Ｌｏｗ）から１（Ｈｉｇｈ）に変化する。
これにより、比較器１３３、１３５の出力端子に接続されたＣＰＵ１５０では、基板ポート群１０１における両端ポートである制御信号ポート１０４、１０８を介して印加された電力電位の変化を検出でき、このため、基板ポート群１０１または中継基板端子群２０１における接続箇所（コネクタ）における両端いずれかの部分が断線した斜め差し状態（図１１）や、伝送線１８５側または１８７側における断線、配線抜けなどの接続異常を迅速に検出し、その発生を報知することが可能となる。
【０１８０】
次いで、接続異常検出部１０５の備えた比較器１３１について、図７を用いて説明する。比較器１３１の（＋）側端子には、比較器１３３、１３５と同様に、電力供給部１２２から一定の電圧（定電圧）が印加されている。この一定の電圧電位（接続異常検出部１０５内の基準電位）は、アースに接続した抵抗素子Ｒ１４５と抵抗素子Ｒ１４７の影響で降下された電位である。
ここで、比較器１３１の（−）側入力端子に対してカウントスイッチ４２０からの検知信号の入力があった場合に、比較器１３１の（−）側入力端子に印加される電圧電位が、（＋）側端子に印加された定電圧電位を上回るものとする。
【０１８１】
これにより、比較器１３１からの出力が（０から１に、もしくは、１から０）切り替わる。すなわち、比較器１３１の（−）側入力端子に対する検知信号の入力があった場合に、比較器１３１の（−）側入力端子に印加される電圧電位が（＋）側端子に印加されている定電圧電位を上回るので、比較器１３１から出力される論理値が切り替わる。このため、ＣＰＵ１５０では、比較器１３１の（−）端子に検知信号の入力があったことが迅速に検出される。
【０１８２】
ここで、遊技機６０の主制御基板１００の備えた比較器１３１、１３３、１３５について、図９を用いて詳説する。
図９に示す遊技機６０では、カウントスイッチ４２０、４４０、普通図柄変動スイッチ４６０それぞれから出力された検知信号が中継端子板２０７を介して１０６、１０８、１０４それぞれに送られる。
【０１８３】
ここで、遊技機６０における比較器１３１の（−）端子には制御信号ポート１０６から入力された検知信号が入力され、比較器１３１は、上記の接続異常検出部１０５の比較器１３１と同様に動作する。
【０１８４】
また、遊技機６０における比較器１３３の（−）端子には、カウントスイッチ４４０から出力された検知信号が制御信号ポート１０８を介して入力され、比較器１３５の（−）端子にも、普通図柄変動スイッチ４６０から出力された検知信号が制御信号ポート１０４を介して入力される点が、接続異常検出部１０５における比較器１３３、１３５と相違する。ここで、（−）端子に検出信号が入力された比較器１３３、１３５は、比較器１３１と同様に動作する。
【０１８５】
また、遊技機６０における制御基板１００では、比較器１３３の（−）端子と制御信号ポート１０８を接続する信号伝送線部にはアース（図７のアース１２６）に接続される分岐線は設けられておらず、比較器１３５の（−）端子と制御信号ポート１０４を接続する信号伝送線部にもアース（図７のアース１２８）に接続される分岐線は設けられていない点が、遊技機２０における接続異常検出部１０５の内部構成と相違する。
【０１８６】
なお、制御基板１００（図７）では、制御基板１００における主制御部１０００（図１４参照）が接続異常検出部１０５として機能することにより、制御信号ポート１０４、１０８を介して印加される電圧電位の変化の検出を行ってもよい。
また、ＣＰＵ１５０がプログラムに基づく実行処理を行うことにより、接続異常検出部１０５の機能動作が実現される設定であってもよい。
【０１８７】
以上のように、遊技機２０の主制御基板１００では、上記実施形態における制御基板１００、演出制御基板３００と同様に、分岐電力線（図３の分岐電力線２５７、２５９に対応）に印加される電圧電位の変化を検出することができる。
また、分岐電力線（図３の分岐電力線２５７、２５９に対応）は電力線（図２の電力線２５１に対応）から分岐された副次的な信号線であるため、電力線（図２の２５１に対応）を介して行われる電力供給や制御信号中継線（例えば、図１〜３の制御信号中継線２５５に対応）を伝送される制御信号（検出信号など）に影響を与えることなく、主制御基板１００および中継端子板２００間を接続するコネクタおよび伝送信号線（伝送線）に生じた接続異常を迅速かつ正確に検出することが可能となる。
【０１８８】
また、遊技機２０では、遊技機機種の構成変更等に伴い中継基板端子群２０１内に、あるいは、基板ポート群１０１内に発生し得る未使用状態の空き端子（空きポート）を、主制御基板１００および中継端子板２００間における接続配線抜けや断線などの接続異常検出用に利用することができ、それと同時に中継基板端子群２０１内、または、基板ポート群１０１に空きポート（空き端子）が発生するのを抑止することも可能となる。
【０１８９】
なお、実施形態７では、上述のように、接続異常検出部１０５内に分岐電力線を介して印加された電圧電位をそれぞれ基準電位と比較する比較器１３３、１３５を設けた構成について説明したが、接続異常検出部１０５の全体、または接続異常検出部１０５の内部構成の一部を集積回路により実現してもよい。
【０１９０】
［実施形態８］
次に、実施形態８として、上述の実施形態５（図５）に対応する、より具体的な実施形態である遊技機３０について、図５、図８、図１３、図１４を用いて説明する。図８は、遊技機３０の内部回路構成を示す概略説明図である。
遊技機３０は、上記実施形態の動作部４００に相当する動作部として、第２始動口５９に遊技球が入球しやすい開放状態、または入球しにくい閉鎖状態に可換に遷移する開閉部材を駆動するアクチュエータＡＣ１、大入賞口５５の開口部に設けられた特別電動役物６５の開閉動作を作動するアクチュエータＡＣ２、特別電動役物６６の開閉動作を駆動するアクチュエータＡＣ３などを備えているものとする（図１３、１４参照）。
【０１９１】
なお、実施形態８においても、上述のように、入賞上限数に達したときに、特別電役制御部１１９０が大当り遊技制御部１１３３から受けた指令に従ってアクチュエータＡＣ２を作動させて特別電動役物６５を開放させる。また、特別電役制御部１１９０が大当り遊技制御部１１３３から受けた指令に従って、アクチュエータＡＣ３を作動させて特別電動役物６６を閉鎖させるまた、普通電役制御部１１８０は、普図抽選制御部１１７０からの指令に基づき、アクチュエータＡＣ１を作動させて所定の開放条件で普通電動役物６１を開放させる。
【０１９２】
なお、上記アクチュエータＡＣ１〜３はそれぞれソレノイドアクチュエータ、モータアクチュエータなどであってもよい。実施形態８では、アクチュエータＡＣ１〜３を総称としてソレノイドアクチュエータという。
【０１９３】
以下、ソレノイドアクチュエータ（以下「ソレノイド」という）５２０を備えた構成である遊技機３０について、図８に基づき説明する。
遊技機３０は、図８に示すように、主制御基板１００（図１〜５の制御基板１００に相当）およびソレノイド５２０の間に中継端子板２００を備えている。
主制御基板１００は、ソレノイド５２０に電力線を介して電流供給（電力供給に相当）を行うと共に、制御信号中継線を介してソレノイド５２０における駆動動作を制御するための制御信号を送信する。
また、中継端子板２００は、上記電流供給および制御信号の中継を行う電力線および制御信号中継線それぞれの一部としての電力線部２６２、制御信号中継線部２６４を備え、上記電流供給および制御信号の伝送を中継する。
【０１９４】
ソレノイド５２０は、主制御基板１００から供給された電流を利用して制御信号に基づき特別電動役物６５や入昇降装置などの開閉部材における開閉動作を駆動する。
具体的には、ソレノイド５２０は、主制御基板１００からの定電位が通電されることにより、開閉羽根などの開閉部材における開閉動作を駆動する。
例えば、ソレノイド５２０が通電され駆動すると、１対の開閉羽根が入賞口を開放する開位置に移動し、また、制御信号が送られることにより、ソレノイド５２０への通電状態が高電圧から低電圧に切り替えられ、開閉羽根の開位置から入賞口を閉塞する閉位置への移動、または、開閉羽根の閉位置から開位置への移動が制御される。
【０１９５】
なお、図８に示す遊技機３０では、主制御基板１００から出力される制御信号は主制御基板１００の制御信号ポート１１６（送信ポート）、伝送線１８３、制御信号中継端子２１６、中継端子板２００の制御信号中継線部２６４、制御信号中継端子２８６、および伝送線３８３を介してソレノイド５２０に送られる。すなわち、制御信号ポート１１６（送信ポート）、伝送線１８３、制御信号中継端子２１６、中継端子板２００の制御信号中継線部２６４、制御信号中継端子２８６、および伝送線３８３から成る信号線は、図２〜３における制御信号中継線２５５に相当する。
【０１９６】
また、中継端子板２００は、図８に示すように、電力線（図１〜５における電力線２５１に相当）の一部である電力線部２６２と、制御信号中継線（図２〜３における制御信号中継線２５５に相当）の一部としての制御信号中継線部２６４と、電力線部２６２が分岐点２７３で分岐して制御信号中継端子２１８の内端子に接続された分岐電力線部２６８と、電力線部２６２が分岐点２７１で分岐して制御信号中継端子２１４の内端子に接続された分岐電力線部２６６と、を備えている。
なお、電力線部２６２、制御信号中継線部２６４、分岐電力線部２６６、２６８は、中継端子板２００上に配設されたプリントパターンであってもよい。
また、中継端子板２００は、主制御基板１００の制御信号ポート１１４、１１６、１１８、および電力ポート１１２からなる基板ポート群１０１に伝送線を介して接続した中継基板端子群２０１を備えている。また、中継基板端子群２０１は、制御信号中継端子２１４、２１２、２１６、２１８から成る。
【０１９７】
ここで、遊技機３０の主制御基板１００が有する制御信号ポート１１８（第１ポート）および制御信号ポート１１４（第２ポート）はそれぞれ動作部に対する制御信号が出力される出力ポートであり、更には、主制御基板１００の制御信号ポート１１８（第１ポート）と中継端子板２００の制御信号中継端子２１８（第１端子）、主制御基板１００の制御信号ポート１１４（第２ポート）と中継端子板２００の制御信号中継端子２１４（第２端子）とはそれぞれ伝送線１８７、１８５（信号線）を介して接続されている。
【０１９８】
なお、遊技機３０の主制御基板１００の第１ポートおよび第２ポートとは、基板ポート群１０１の両端に位置する制御信号ポートであり、より具体的には、制御信号ポート１１４と１１８とする（図８）。また、制御信号ポート１１４と１１８は、上述のように、制御信号が出力される出力ポートとして主制御基板１００上に設置されたものである。
【０１９９】
ここで、図８に示す実施形態８では、制御信号ポート１１４と１１８それぞれに対して電力線部２６２から分岐電力線部２６６、２６８へと分岐された定電圧の電流が、伝送線１８５、１８７を介して印加される。
【０２００】
ここで、中継端子板２００の分岐電力線部２６６、２６８には電力線部２６２と同レベルの電位の電圧が印加される。このため、分岐電力線部２６６における抵抗素子Ｒ２４３より制御信号中継端子２１４側の部分に印加される電圧電位が制御信号ポート１１４から接続異常検出部１０５に印加され、分岐電力線部２６８における抵抗素子Ｒ２４４より制御信号中継端子２１８側の部分に印加される電圧電位が、制御信号ポート１０８から接続異常検出部１０５に印加される。
【０２０１】
なお、制御信号中継端子２１４は伝送線１８５を介して制御信号ポート１１４に接続され、制御信号中継端子２１８は伝送線１８７を介して制御信号ポート１１８に接続されている。
主制御基板１００は、図８に示すように、制御信号ポート１１８（第１ポートに対応）または制御信号ポート１１４（第２ポート）に印加される電圧電位の変化を監視する接続異常検出部１０５を備えている。ここで、制御信号ポート１１４、１１８それぞれと接続異常検出部１０５とは主制御基板１００の内部に設けられた信号線を介して接続されており、制御信号ポート１１４、１１８から印加された電圧電位はこの信号線を介して接続異常検出部１０５に印加される。
【０２０２】
また、接続異常検出部１０５は、制御信号ポート１１４、１１６、１１８から印加された電圧と予め設定された基準電位とを比較する比較器を備えており、中継端子板２００上における分岐電力線部２６６、２６８それぞれに抵抗素子Ｒ２４３、Ｒ２４４を備えることにより、比較器それぞれにおける論理固定がなされ、このため、接続異常検出部１０５内における電位環境の安定化を図ることができる。
なお、接続異常検出部１０５は、主制御基板１００（図８）上に設けられたＣＰＵ１５０またはその他のプロセッサ、もしくは、主制御基板１００の外部の基板等に設けられた集積回路素子（ＣＰＵ）によるプログラム実行処理により実現される設定であってもよい。
【０２０３】
これにより、接続異常検出部１０５は、基板ポート群１０１における両端ポートである制御信号ポート１１４、１１８から印加された電力電位変化の検出を行う。また、接続異常検出部１０５では、基板ポート群１０１と中継基板端子群２０３との接続箇所であるコネクタの両端部分、また、この両端部分同士を接続する伝送線１８５、１８７における断線、配線抜けなどを常時検出することができるので、図１１に示すような、複数端子（ポート）を有するコネクタにおける斜め差しなどの接続異常を迅速かつ正確に検出することが可能となる。
なお、主制御基板１００に設けられた上記信号線は主制御基板１００上に配設されたプリントパターンであってもよい。接続異常検出部１０５を含む主制御基板１００の内部構成については、図８に基づき後述する。
【０２０４】
遊技機３０では、分岐電力線２５７、２５９は電力線２５１（電力線部２６２）から分岐された副次的な信号線であるため、実施形態１〜７と同様に、接続異常検出部１０５が分岐電力線２５７、２５９に印加される電圧電位の変化を検出することにより、電力線２５１を介して行われる電力供給（電流供給）や制御信号中継線２５５（図１〜５の２５５に対応）を伝送される制御信号（検出信号などを含む）に対する影響を抑制しつつ、基板ポート群１０１におけるコネクタ部や基板ポート群１０１に接続された制御信号中継線および電力線における断線、配線などの接続異常を検出することができる。
【０２０５】
また、遊技機３０では、遊技機機種の構成変更等に伴い中継基板端子群２０１内に、あるいは、基板ポート群１０１内に発生し得る未使用状態の空き端子（空きポート）を、主制御基板１００および中継端子板２００間における接続配線抜けや断線などの接続異常検出用に利用することができ、それと同時に中継基板端子群２０１内、または、基板ポート群１０１に空きポート（空き端子）が発生するのを抑止することも可能となる。
【０２０６】
［遊技機３０における空きポートについて］
ここで、本実施形態８における上記「空きポート」について、図８、１０に基づき説明する。図１０は、旧機種（従来機としての遊技機７０）の回路構成を示す説明図である。
なお、主制御基板１００およびソレノイド５２０は本実施形態８（図８）と同一であるものとする。また、ソレノイド５４０、５６０は、ソレノイド５２０と同型のものとする。
【０２０７】
上述のように、パチンコ機などの遊技機では機種変更などによって制御基板に対応する被制御機器の数や構造の変更が頻繁に行われる。
ここで、ソレノイド５２０、５４０、５６０を備えた遊技機７０について、図１０を用いて説明する。なお、遊技機７０は、遊技機３０（図８）と同様に、主制御基板１００およびソレノイド５２０の間に中継端子板２０８を備えているものとする。
【０２０８】
遊技機７０は、主制御基板１００と、遊技機７０における開閉部材の開閉動作を作動するソレノイド５２０、５４０、５６０と、これらソレノイド５２０、５４０、５６０それぞれに対して送られる制御信号の中継を行う制御信号中継線それぞれ制御信号中継線の一部を備えた中継端子板２０８を備えた構成を有する。
【０２０９】
また、ソレノイド５２０、５４０、５６０はそれぞれ主制御基板１００からソレノイドコモンを介して行われる電流供給により駆動する。なお、ソレノイド５４０、５６０は、ソレノイド５２０と同等の構成を有するものとする。
【０２１０】
また、ソレノイド５２０は中継端子板２０８の電力中継端子２８２、制御信号中継端子２８６に対して伝送線３８１、３８３を介して接続され、ソレノイド５４０は中継端子板２０８の電力中継端子２８８、制御信号中継端子２８１に対して伝送線３８５、３８７を介して接続され、ソレノイド５６０は中継端子板２０８の電力中継端子２８３、制御信号中継端子２８５に対して伝送線３８９、３９１を介して接続されている。
【０２１１】
中継端子板２０８は、主制御基板１００の基板ポート群１０１に対向した位置に、異なる複数の制御信号中継端子２１４、２１６、２１８と電力中継端子２１２とが並んで設けられている。ここで、電力中継端子２１２、および制御信号中継端子２１４、２１６、２１８はそれぞれ主制御基板１００の基板ポート群１０１に信号線を介して接続される中継基板端子群２０１を形成するものとする。ここで、中継基板端子群２０１内の両端の端子は制御信号中継端子２１４と２１８である。
【０２１２】
また、制御信号中継端子２１４、２１６、２１８、２８６、２８１、２８５と、電力中継端子２１２、２８２、２８８、２８３はそれぞれ中継端子板２０８上に配設されたプリントパターンに接続される内端子と中継端子板２０８の外部の機器や基板と伝送線（コネクタ）を介して接続される外端子を有する。
ここで、制御信号中継端子２１４、２１６、２１８の外端子は、伝送線１８５、１８３、１８７を介してそれぞれ制御信号ポート１１４、１１６、１１８に接続され、電力中継端子２１２の外端子は伝送線１８１を介して電力ポート１１２に接続されている。
【０２１３】
また、中継端子板２０８は、上記制御信号中継線（例えば、図１の２５５に対応）の一部として中継端子板２０８上に形成されたプリントパターンである制御信号中継線部２６４、２７８、２９１を備えている。ここで、制御信号中継線部２６４は制御信号中継端子２１６の内端子と制御信号中継端子２８６の内端子に接続され、制御信号中継線部２７８は制御信号中継端子２１８の内端子と制御信号中継端子２８１の内端子に接続され、制御信号中継線部２９１は制御信号中継端子２１４の内端子と制御信号中継端子２８５の内端子に接続されている。また、中継端子板２０８は、電力中継線（例えば、図１の２５１に対応）の一部として中継端子板２０８上に形成されたプリントパターンとしての電力線部２６２と、この電力線部２６２から分岐されたプリントパターンである分岐電力線部２７９を備えている。ここで、電力線部２６２は、電力中継端子２８２の内端子と電力中継端子２１２の内端子に接続されたプリントパターンであり、分岐電力線部２７９は更に分岐され電力中継端子２８８、２８３それぞれの内端子に接続されたプリントパターンである。
【０２１４】
ここで、図１０における、主制御基板１００からソレノイド５２０への電流供給を中継する電力線２５１（図１〜５の２５１に対応：ソレノイドコモンライン）は、主制御基板１００の電力ポート１１２、中継端子板２０８の電力中継端子２１２とに接続された伝送線１８１、電力中継端子２１２、電力中継端子２１２の内端子と電力中継端子２８２の内端子に接続された電力線部２６２、電力中継端子２８２、および電力中継端子２８２の外端子とソレノイド５２０とに接続された伝送線３８１から成る。
また、主制御基板１００からソレノイド５４０への電流供給を中継する電力線（ソレノイドコモンライン）は、主制御基板１００の電力ポート１１２、中継端子板２０８の電力中継端子２１２に接続された伝送線１８１、電力線部２６２における電力中継端子２１２から分岐点まで、この分岐点から電力中継端子２８８内端子までの分岐電力線部２７９、および電力中継端子２８８とソレノイド５６０とに接続された伝送線３８５から成る。また、主制御基板１００からソレノイド５６０への電流供給を中継する電力線（ソレノイドコモンライン）は、主制御基板１００の電力ポート１１２、中継端子板２０８の電力中継端子２１２に接続された伝送線１８１、電力線部２６２における電力中継端子２１２から分岐点まで、この分岐点から電力中継端子２８３内端子までの分岐電力線部２７９、および電力中継端子２８３の外端子とソレノイド５６０とに接続された伝送線３８９から成る。
【０２１５】
ここで、主制御基板１００からソレノイド５２０、５４０、５６０に対して行われる電力供給（電流供給）を中継する電流供給線（電力線）は上記のソレノイドコモンラインであり、例えば、遊技機１０（図１）における電力線２５１に相当する。
【０２１６】
ここで、例えば、旧機種（遊技機７０）から新機種（遊技機３０）への機種変更が行われ、これに伴い、旧機種（遊技機７０：図１０）における主制御基板１００に中継端子板２０８を介して接続されたソレノイド５２０、５４０、５６０のうち、新機種（遊技機３０）では、ソレノイド５４０、５６０が取り外されるものとする。
このとき、新機種である遊技機３０においては、使用されないソレノイド５４０、５６０に接続されていた制御信号中継線に接続されていた制御信号ポート１１４、１１６が未使用状態の空きポートとなる。また、新機種である遊技機３０の中継端子板２００では、制御信号ポート１１４、１１６に伝送線を介して接続された制御信号中継端子２１４、２１８は未使用の端子（空き端子）となり得る。
【０２１７】
ここで、実施形態８の遊技機３０では、図８に示すように、制御信号中継端子２１４、２１８の内端子に対して、電力線部２６２から分岐された分岐電力線部２６６、２６８がそれぞれ接続された構成となる。
【０２１８】
ここで、遊技機３０は、電力線部２６２（電力中継線）から分岐した異なる分岐電力線部２６６、２６８（第２分岐部、第１分岐部）が少なくとも制御信号中継端子２１４（第１端子）と制御信号中継端子２１８（第２端子）とに接続されている。
また、主制御基板１００の制御信号ポートのいずれかに接続された、中継基板端子群２０１における空き端子がある場合には、この空き端子に対して電力線部２６２（電力中継線）から、分岐電力線部２６６、２６８とは別に分岐した異なる分岐電力線部（図示なし）が接続された構成であってもよい。
また、遊技機３０の主制御基板１００は、分岐電力線部２６６、２６８それぞれに伝送線を介して接続された制御信号ポート１１４、１１６それぞれに印加される電圧電位を監視して、図８における基板ポート群１０１と中継基板端子群２０２の接続に、例えば、図１１に示すような斜め差し状態などの接続異常を検知する接続異常検出部１０５を備えた構成としてもよい。
【０２１９】
［実施形態８における主制御基板１００の構成］
次に、遊技機３０および遊技機７０における主制御基板１００の内部構成について、図８、図１０を用いて説明する。
ここでは、まず遊技機３０、遊技機７０それぞれの主制御基板１００に共通する構成について説明する。
図８、１０に示す主制御基板１００は、電力線２５１を介して接続されたソレノイドアクチュエータ（以下「ソレノイド」という）５２０に駆動用の電流供給（ここでは、３０ボルトとする）を行う電力供給部１７２を備えている。電力供給部１７２は電力伝送線部（プリントパターン）を介して電力ポート１１２に接続されており、ソレノイドの駆動用の電流が電力ポート１１２から出力される。なお、図１０に示す遊技機７０では、電力ポート１１２に対して並列に接続されたソレノイド５２０、５４０、５６０に対して電流供給が行われる。
【０２２０】
また、遊技機３０および遊技機７０の主制御基板１００はそれぞれ、ソレノイド５２０（図１０では、ソレノイド５４０、５６０も含む）における駆動制御に用いられる電流信号（駆動制御電流：制御信号に対応）の出力を行うソレノイドドライブ（以下「ドライバ端子」という）１３２、１３４、１３６と、ドライバ端子１３２、１３４、１３６における入力端子（ＩＮ端子）に電圧印加を行うことで、ドライバ端子１３２、１３４、１３６それぞれにおける駆動制御電流の送出を制御するＣＰＵ１５０を備えている。
【０２２１】
ここで、駆動対象である動作部がモータである場合は、ドライバ端子は、いわゆる「モータドライブ」とする。
ドライバ端子１３２、１３４、１３６は、具体的には、パワー半導体素子などのドライバ端子であり、ソレノイド５２０、５４０、５６０における駆動制御用の電流を生成して送出する。
【０２２２】
また、遊技機３０および遊技機７０の主制御基板１００はそれぞれドライバ端子１３２、１３４、１３６の出力端子に接続された制御信号ポート１１４、１１６、１１８を備えている。ここで、制御信号ポート１１４、１１６、１１８は、それぞれに対応したアクチュエータであるソレノイド５２０、５４０、５６０に対する制御信号（駆動制御電流）の出力用に設けられた出力ポートとする。
【０２２３】
次に、遊技機３０の主制御基板１００、中継端子板２００の内部構成と、主制御基板１００に設けられた接続異常検出部１０５について、図８を用いて説明する。
主制御基板１００からソレノイド５２０（動作部）に対して電力線（電力中継線）を介して定電位が印加され、分岐電力線（第１分岐部）および分岐電力線（第２分岐部）がそれぞれ電力線（電力中継線）から分岐されている場合に、主制御基板１００の接続異常検出部１０５は第１ポートおよび第２ポートに印加される電圧電位の監視を行う。
また、中継端子板２００における第１分岐部（分岐電力線部２６８）および第２分岐部（分岐電力線部２６６）それぞれには抵抗素子Ｒ２４４、Ｒ２４３が設けられており、制御信号中継端子２１８（第１端子）または制御信号中継端子２１４（第２端子）のいずれか一方、または両方に印加された電位が接続異常検出部１０５における基準電位より高くなるように、抵抗素子Ｒ２４３、Ｒ２４４それぞれの抵抗値が設定されている。
【０２２４】
ここで、主制御基板１００は、図８に示すように、制御信号ポート１１４の内端子とドライバ端子１３２を接続する信号線１９４から分岐して接続異常検出部１０５に接続される分岐線部１５２と、制御信号ポート１１８の内端子とドライバ端子１３６を接続する信号線１９８から分岐して１０５に接続される分岐線部１５４を備えている。
ここで、制御基板１００の接続異常検出部１０５は、制御信号ポート１１８（第１ポートに対応）または制御信号ポート１１４（第２ポート）に印加される電圧電位の変化を監視する。
【０２２５】
ここでは、主制御基板１００からソレノイド５２０（動作部）に対して電力線２５１（電力中継線）を介して定電位が印加され、更には、分岐電力線部２６８（第１分岐部）および２６６（第２分岐部）がそれぞれ電力線部２６２（電力中継線の一部）から分岐され、分岐電力線２５７、２５９を介して、主制御基板１００内の信号線１９８、１９４に対して制御信号ポート１１８（第１ポートに対応）、制御信号ポート１１４（第２ポート）から上記定電位が印加される。
また、分岐電力線部２６８に印加された電位は主制御基板１００の分岐線部１５４を介して接続異常検出部１０５に印加される電位と同電位となる。また、分岐電力線部２６６に印加された電圧電位は主制御基板１００の分岐線部１５２を介して接続異常検出部１０５に印加される電圧電位と同電位となる。
【０２２６】
ここで、中継端子板２０８の分岐電力線部２６８（第１分岐部）に設けられた抵抗素子Ｒ２４４の抵抗値は、抵抗素子Ｒ２４４が分岐電力線部２６６を介して接続された制御信号中継端子２１８（第１端子）に印加された電圧電位が、接続異常検出部１０５における基準電位より高くなるような抵抗値に設定されている。また、分岐電力線部２６６（第２分岐部）に設けられた抵抗素子Ｒ２４３の抵抗値は、抵抗素子Ｒ２４３が分岐電力線部２６６を介して接続された制御信号中継端子２１４（第２端子）に印加された電圧電位が、接続異常検出部１０５における基準電位より高くなるような抵抗値に設定されている。
【０２２７】
また、中継端子板２００の分岐電力線部２６６には抵抗素子Ｒ２４３が、分岐電力線部２６８にはＲ２４４がそれぞれ直列に設けられており、制御信号中継端子２１８（第１端子）または制御信号中継端子２１４（第２端子）のいずれか一方、または両方に対して印加される電力電位が、接続異常検出部１０５内における予め設定された基準電位より高くなるように、抵抗素子Ｒ２４３、Ｒ２４４それぞれの抵抗値が設定されているものとする。
【０２２８】
このとき、中継端子板２００の分岐電力線部２６６、２６８には電力線部２６２と同電位の電圧が印加される。このため、制御信号中継端子２１４の内端子に印加される電圧が制御信号ポート１１４を介して分岐線部１５２に印加され、また、制御信号中継端子２１８の内端子に印加される電圧が制御信号ポート１１８を介して分岐線部１５４に印加される。
【０２２９】
なお、図８における分岐線部１５２、１５４はそれぞれ図７の主制御基板１００における信号伝送線部１７１、１７５に対応する。このため、図８に示す接続異常検出部１０５は分岐線部１５２、１５４それぞれから印加されるそれぞれの電圧電位変化を検出し、印加電圧の変化があった場合に、接続異常検出部１０５は、これを制御信号ポート１１４、１１８それぞれに接続された分岐電力線２５９、２５７における接続異常が発生したものとして報知する。なお、実施形態８における主制御基板１００の備えた接続異常検出部１０５は、実施形態７の主制御基板１００（図７）が備えたものと同構成を有するものとする。
【０２３０】
ここで、実施形態８における主制御基板１００の備えた分岐線部１５２、１５４はそれぞれ実施形態７における主制御基板１００が備えた信号伝送線部１７１、１７５に対応する。
すなわち、実施形態８では、主制御基板１００の制御信号ポート１１４から印加された電圧電位は信号線１９４、分岐線部１５２を介して接続異常検出部１０５が備えた比較器１３５の（−）端子に印加され、制御信号ポート１１８から印加された電圧電位は信号線１９８、分岐線部１５４を介して接続異常検出部１０５が備えた比較器１３３の（−）端子に印加される。
【０２３１】
また、接続異常検出部１０５は、制御信号ポート１１４または１１８におけるコネクタの接続点や信号線（伝送線）を含む分岐電力線２５９または２５７における接続異常を検出した場合に、これを報知するための出力信号を接続異常報知手段（図示なし）に対して送出する構成であってもよい。これにより、接続異常報知手段は遊技機３０における照明装置やスピーカ３３を含み、接続異常が発生したことを示す報知音がスピーカから出力され、また、照明装置３５では接続異常の発生を示すランプの点灯が行われる。
【０２３２】
以上のように、実施形態８の主制御基板１００は、基板ポート群１０１および中継基板端子群２０１の接続箇所であるコネクタの両端部分、また、この両端部分同士を接続する伝送線１８５、１８７における断線、配線抜けなどを、常時検出することが可能となる。このため、図１１に示すような、複数端子（ポート）を有するコネクタにおける斜め差しなどにより発生する接続異常を迅速かつ正確に検出し、報知することが可能となる。
【０２３３】
また、電力線部２６２（電力中継線）から分岐した異なる分岐電力線部２６６、２６８（分岐部）が少なくとも制御信号中継端子２１４（第１端子）と制御信号中継端子２１８（第２端子）とに接続されるものとする。
すなわち、主制御基板１００の制御信号ポートのいずれかに接続された、中継基板端子群２０１における３つ以上の空き端子が生じ得る場合には、この空き端子に対して電力線部２６２（電力中継線）から、分岐電力線部２６６、２６８、および、これらの分岐電力線部とは別に分岐した異なる分岐電力線部（図示なし）が接続された構成であってもよい。
【０２３４】
なお、遊技機３０（図８）では、上述のように、中継端子板２００の制御信号中継端子２１４、２１８の内端子に接続された２つの分岐線部が、電力線部２６２から分岐した分岐電力線部２６６、２６８である場合の構成について説明しているが、上記２つの分岐線部として、制御信号中継線部２６４から分岐した異なる２つの分岐線部が制御信号中継端子２１４、２１８それぞれの内端子に接続された構成であってもよい。
この場合、主制御基板１００の制御信号ポート１１６からソレノイド５２０に向けて出力された制御信号が制御信号中継線部２６４で分岐して、制御信号中継端子２１４、２１８それぞれに接続された分岐線部を介して制御信号ポート１１４、１１８それぞれに入力される。
【０２３５】
ここで、主制御基板１００の接続異常検出部１０５は、制御信号ポート１１４、１１８から入力される制御信号を監視していてもよい。このため、接続異常検出部１０５は、制御信号ポート１１４、１１８から入力される制御信号が一定期間検出されない側の分岐線に接続異常が生じたものとしてこれを検出する。例えば、制御信号ポート１１４から入力されるべき制御信号が一定期間検出されない場合に、第２ポート（制御信号ポート１１４）側の分岐線に接続異常が生じたことを検出する。
【０２３６】
また、中継端子板２００上の２つの分岐線部として、一方が制御信号中継線部２６４から分岐し、他方が電力線部２６２から分岐した分岐線部が制御信号中継端子２１４、２１８それぞれの内端子に接続された構成であってもよい。
この場合、電力線部２６２から分岐した分岐線部に接続した制御信号ポート（１１４または１１８）には定電圧が印加されるので、接続異常検出部１０５はこの定電圧が検出されない（もしくは、印加される電圧レベルが一定値以下に下がった）場合に、分岐線に接続異常が生じたものとして検出する。また、制御信号中継線部２６４から分岐した分岐線部に接続した制御信号ポート（１１４または１１８）の側では、通常時、制御信号が入力（中継端子板２００から主制御基板１００内へ）されるので、例えば、一定期間、制御信号が検出されない場合に、分岐線に接続異常が生じたものとして接続異常検出を行う設定であってもよい。
【０２３７】
また、図８の遊技機３０では、接続異常検出部１０５が制御基板１００内部に設けられた構成が示されているが、接続異常検出部１０５は、主制御基板１００および中継端子板２００の間に設けられたサブ基板（図示なし）上などに設けられた構成であってもよい。
【０２３８】
このとき、制御信号中継線部２６４上における２点の分岐点から制御信号中継端子２１６、２１４の内端子に接続された分岐制御信号中継線が設けられている場合に、サブ基板は主制御基板１００の制御信号ポート１１４、１１８から伝送線１８５、１８７に対して出力される制御信号を監視する。
【０２３９】
また、接続異常検出部１０５は、分岐制御信号中継線が接続されている場合、例えば、制御信号ポート１１４、１１８から出力される制御信号が一定期間検出されない場合に、分岐電力線２５７に接続異常があったものと検出する構成であってもよい。
【０２４０】
さらに、接続異常検出部１０５を、制御信号ポート１１４または１１８に接続された伝送線１８５または１８７と、制御基板１００の内部で制御信号ポート１１４または１１８に接続された信号線１９４または１９８と、に接続して設けた場合、すなわち、接続異常検出部１０５が制御信号ポート１１４または１１８を跨いて接続された構成である場合、制御信号ポート１１４または１１８における外部伝送線（伝送線１８５または１８７）と内部信号線（信号線１９４または１９８）との電位差に基づいて分岐電力線（分岐電力線２５７、２５９）における接続異常を検出する構成であってもよい。
【０２４１】
ここで、例えば、ＣＰＵ１５０は、ドライバ端子１３２、１３６に対しては接続異常の検出用に同一の制御信号が送出されるように制御コマンドを送信する設定であってもよい。
これにより、ドライバ端子１３２、１３６からは同一の制御信号が定期的に出力され、サブ基板に設けられた接続異常検出部１０５は、制御信号ポート１１４、１１８それぞれから出力された制御信号を取得する。
また、接続異常検出部１０５は、制御信号ポート１１４、１１８それぞれから出力される制御信号が一定期間検出されない場合に、制御信号ポート１１４または１１８、または、伝送線１８５または１８７に接続異常が生じたものとして、接続異常の報知を行う設定であってもよい。
【０２４２】
本実施形態は以下の技術思想を包含する。
（１）動作部との間で制御信号が伝送される制御信号中継線に接続された制御基板と、定電位に接続された電力中継線と、前記制御信号の出力または入力用に前記制御基板に設けられた１または複数の制御信号ポートと、を備えた遊技機であって、前記制御信号ポートである第１ポートに対して前記電力中継線または前記制御信号中継線から分岐して接続された第１分岐線を有し、前記第１ポートにおける印加電位または、入力または出力される制御信号に基づき前記第１ポートまたは前記第１分岐線における接続異常を検出する接続異常検出部を有することを特徴とした遊技機。
（２）前記制御基板は、予め決められた方向に並べられた前記複数の制御信号ポートを含む基板ポート群を備え、前記第１ポートは前記基板ポート群における一端に位置することを特徴とした（１）に記載の遊技機。
（３）前記制御基板は、予め決められた方向に並べられた前記複数の制御信号ポートを含む基板ポート群を有し、前記基板ポート群における両端に位置する前記制御信号ポートである前記第１ポートと第２ポートとを備え、前記電力中継線または前記制御信号中継線から分岐して前記第２ポートに接続された第２分岐線を有し、前記接続異常検出部が、前記第１ポートおよび前記第２ポートの電位または制御信号に基づき前記第１分岐線または第２分岐線における接続異常を検知することを特徴とした（１）に記載の遊技機。
（４）前記基板ポート群には、複数の前記制御信号ポートおよび前記電力中継線が接続された電力ポートが含まれ、前記制御信号ポートが前記基板ポート群における両端に位置することを特徴とする（３）に記載の遊技機。
（５）前記制御信号ポートそれぞれに対応して接続された異なる複数の信号中継端子と、前記動作部および前記制御基板の間で伝送される前記制御信号の中継を行う前記制御信号中継線の一部と、を有し、前記制御基板と前記動作部との間に設けられた中継端子板を備え、前記中継端子板は、前記第１ポートに接続された前記信号中継端子である第１端子に対して前記電力中継線または前記制御信号中継線から分岐して接続された第１分岐部を有することを特徴とした（１）に記載の遊技機。
（６）前記制御基板は、予め決められた方向に並べられた前記複数の制御信号ポートを含む基板ポート群を有し、前記基板ポート群における両端に位置する前記制御信号ポートである前記第１ポートと第２ポートとを備え、前記中継端子板は、予め決められた方向に並べられた前記複数の信号中継端子を含む中継基板端子群を有すると共に、前記中継基板端子群における両端に位置する前記信号中継端子である前記第１端子および第２端子に対して前記電力中継線または前記制御信号中継線から分岐して接続された第１分岐部および第２分岐部を備え、前記接続異常検出部が、前記第１端子に接続された前記第１ポートおよび前記第２端子に接続された前記第２ポートの電位または制御信号に基づき前記第１分岐線または第２分岐線における接続異常を検知することを特徴とした（５）に記載の遊技機。
（７）前記中継基板端子群には前記電力中継線および前記電力ポートに接続された電力中継端子が含まれ、且つ前記中継基板端子群における一端および他端のそれぞれには前記信号中継端子が位置することを特徴とした（６）に記載の遊技機。
（８）前記動作部に前記電力中継線を介して定電位が印加され、前記第１分岐部および第２分岐部がそれぞれ前記電力中継線から分岐されている場合に、前記第１分岐部および第２分岐部それぞれに抵抗素子が設けられていることを特徴とした（６）または（７）に記載の遊技機。
（９）前記第１ポートおよび第２ポートはそれぞれ前記中継端子板を介して送られた前記制御信号が入力される入力ポートであり、
前記第１ポートと前記第１端子、前記第２ポートと前記第２端子とがそれぞれ信号線で接続されている（６）から（８）のいずれか一項に記載の遊技機。
（１０）前記第１ポートおよび前記第２ポートはそれぞれ前記制御信号が出力される出力ポートであり、前記第１ポートと前記第１端子、前記第２ポートと前記第２端子とがそれぞれ信号線で接続されている（６）から（８）のいずれか一項に記載の遊技機。
（１１）前記電力中継線から分岐した前記第１および前記第２分岐部を含む異なる分岐部が少なくとも前記第１端子と前記第２端子とに接続されていることを特徴とする（１０）に記載の遊技機。
（１２）前記動作部に前記電力中継線を介して定電位が印加され、前記第１分岐部および第２分岐部がそれぞれ前記電力中継線から分岐されている場合に、前記制御基板の前記接続異常検出部は前記第１ポートおよび第２ポートに印加される電圧電位を監視し、前記中継端子板の前記第１分岐部および第２分岐部それぞれに抵抗素子が設けられており、前記第１端子または前記第２端子のいずれか一方、または両方における電圧電位が前記接続異常検出部における基準電位より高くなるように前記抵抗素子それぞれの抵抗値が設定されていることを特徴とする（９）または（１０）に記載の遊技機。
（１３）接続異常検出部は、前記第１ポートおよび前記第２ポートから得られる異なる２つの制御信号を比較することにより前記制御基板および前記中継端子板の間における接続異常を検知することを特徴とする（５）に記載の遊技機。
【符号の説明】
【０２４３】
１０、１０ａ、１０ｂ、１０ｃ、１０ｄ、１０ｅ、２０、３０、６０、７０  遊技機
１２  前枠
１５  外枠
２１  ヒンジ機構
２３  シリンダ錠
２５  透明部材
２７  上球受け皿
２９  下球受け皿
３１  操作ハンドル
３２  上枠部
３３、３３ａ、３３ｂ  スピーカ
３４、３６  左右側枠部
３５、３５ａ〜３５ｇ  照明装置
３４、３６  左右側枠部
３７  ボタン
３８  演出アクチュエータ
５０  遊技盤
５０ａ  遊技領域
５１  外レール
５２  風車
５３  内レール
５５、５６  大入賞口
５７  第１始動口
５９  第２始動口
６０  遊技機
６１  普通電動役物
６３  作動ゲート
６５  特別電動役物
６６  特別電動役物
６７、６７ａ、６７ｂ、６７ｃ  普通入賞口
６９  アウト口
８０  演出表示装置
９０  図柄表示装置
９１  特別図柄表示装置
９１ａ  第１特別図柄表示装置
９１ｂ  第２特別図柄表示装置
９２  普通図柄表示装置
１００、１１０ｂ  制御基板、主制御基板
１０１  基板ポート群
１０２、１１２  電力ポート
１０３  基板ポート群
１０４、１０６、１０８、１１４、１１６、１１８、３０４、３０６、３０８  制御信号ポート
１０５  接続異常検出部
１２２、１３９  電力供給部
１２６、１２８  アース
１３１、１３３、１３５  比較器
１３２、１３４、１３６  ドライバ端子
１３１、１３３、１３５  比較器
１４９  グランド
１５０  ＣＰＵ
１５２、１５４  分岐線部
１７１、１７５  信号伝送線部
１７２  電力供給部
１７３、１７７  分岐伝送線部
１８１、１８３、１８５、１８７、２１２、２６２、２９２、１８１ｂ、２１１ｂ、２６２ｂ、２１２、２６２、２９２、１８１ｂ、２９２ｂ  伝送線
１９４、１９８  信号線
２００、２００ｂ、２０７、２０８  中継端子板
２０１、２０１ｂ、２０２、２０３  中継基板端子群
２１４、２１６、２１８、２１３ｂ、２１５ｂ、２１７ｂ、２９４ｂ、２９６ｂ、２６４、２７８、２８１、２８５、２８６  制御信号中継端子
２５１、２５１ｂ、２８１ｂ  電力線
２５５、２５５ｂ、２５７、２５９  分岐電力線
２６２  電力線部
２６４、２６４ｂ、２６６ｂ、２７８、２９１  制御信号中継線部
２６２ａ、２７１、２７１ｂ、２７３、２７５  分岐点
２７９、２６６、２６８、２６８ｂ  分岐電力線部
２１１ｂ、２１２、２３１ｂ、２８２、２８３、２８８、２９２、２９２ｂ  電力中継端子
１８１ｂ、２１１ｂ、２６２ｂ、２９２ｂ、３８１、３８１ｂ、３８９、３８２、３８３、３８５、３８７、３８９、３９１  伝送線
３００  演出制御基板
３０１  演出制御基板ポート群
３０２  電力ポート
３０５  接続異常検出部
３２０  演出制御部
４００、４００ａ、４００ｂ、４１０  動作部
４２２、４４２、４６２  開口部
４２４、４４４，４６４  検出信号出力部
４２０、４４０、４６０  カウントスイッチ
４６０  普通図柄変動スイッチ
５２０、５４０、５６０  ソレノイド
１０００  主制御部
１１１０  変動パターン決定部
１１１１  第１特図抽選値取得部
１１１２  第２特図抽選値取得部
１１１３  普図抽選値取得部
１１２０  特図保留制御部
１１３０  特図抽選制御部
１１３１  大当り抽選部
１１３２  特図選択部
１１３３  大当り遊技制御部
１１４０  遊技状態制御部
１１４１  当選確率制御部
１１４２  変短制御部
１１５０  図柄表示制御部
１１５１  第１特図表示制御部
１１５２  第２特図表示制御部
１１５３  普図表示制御部
１１６０  普図保留制御部
１１７０  普図抽選制御部
１１７１  当り抽選部
１１７２  普図選択部
１１７３  当り遊技制御部
１１８０  普通電役制御部
１１９０  特別電役制御部
Ｒ１４１、Ｒ１４３、Ｒ１４５、Ｒ１４７、Ｒ１５１、Ｒ１５３、Ｒ２４１、Ｒ２４２、Ｒ２４３、Ｒ２４４  抵抗素子
【図１】
0006362730.tif 000002
【図２】
0006362730.tif 000003
【図３】
0006362730.tif 000004
【図４】
0006362730.tif 000005
【図５】
0006362730.tif 000006
【図６】
0006362730.tif 000007
【図７】
0006362730.tif 000008
【図８】
0006362730.tif 000009
【図９】
0006362730.tif 000010
【図１０】
0006362730.tif 000011
【図１１】
0006362730.tif 000012
【図１２】
0006362730.tif 000013
【図１３】
0006362730.tif 000014
【図１４】
0006362730.tif 000015